(57)【要約】【課題】撮像装置、または撮像装置に電気的に接続されるレンズモジュールと画像受信装置との通信における対応関係の確認を容易にする。【解決手段】記憶モジュール２００は、撮像装置１０またはレンズモジュールを識別する第１の識別情報と、表示内容を識別する第２の識別情報とを関連付けて記憶する。情報取得部２０１は、撮像装置１０から第１の識別情報を取得する。第２の通信モジュール２０２は、撮像装置１０との通信接続が確立された後、第１の表示インタフェース１０１に対して、第２の識別情報に対応する第１の情報を表示させる第１の制御情報を撮像装置１０に送信し、かつ、撮像装置１０から画像データを受信する。情報出力部２０４は、撮像装置１０との通信接続が確立された後、第２の表示インタフェース２０３に対して、第２の識別情報に対応する第２の情報を表示させる第２の制御情報を第２の表示インタフェース２０３に出力する。【選択図】図１
2015115888.tif 000002
【特許請求の範囲】
【請求項１】
画像受信装置であって、
撮像モジュールと第１の表示インタフェースと第１の通信モジュールとを有する撮像装置、または前記撮像装置に電気的に接続されるレンズモジュールを識別する第１の識別情報と、前記撮像装置と前記画像受信装置とで通信接続が確立されていることを視覚的に識別する第２の識別情報とを関連付けて記憶する記憶モジュールと、
前記撮像装置から前記第１の識別情報を取得する情報取得部と、
前記撮像装置との通信接続が確立された後、前記第１の表示インタフェースに対して、前記情報取得部によって取得された前記第１の識別情報と関連付けられて前記記憶モジュールに記憶されている前記第２の識別情報に対応する第１の情報を表示させる第１の制御情報を前記撮像装置に送信し、かつ、前記撮像装置から画像データを受信する第２の通信モジュールと、
前記画像受信装置が第２の表示インタフェースを有する場合、または前記画像受信装置に前記第２の表示インタフェースが電気的に接続されている場合、前記撮像装置との通信接続が確立された後、前記第２の表示インタフェースに対して、前記情報取得部によって取得された前記第１の識別情報と関連付けられて前記記憶モジュールに記憶されている前記第２の識別情報に対応する第２の情報を表示させる第２の制御情報を前記第２の表示インタフェースに出力する情報出力部と、
を有する画像受信装置。
【請求項２】
前記第２の情報と、前記画像データに基づく画像とを表示する前記第２の表示インタフェースを有する、または、
前記画像データに基づく画像を表示する第３の表示インタフェースを有し、前記画像受信装置に前記第２の表示インタフェースが電気的に接続されている、または、
前記第２の表示インタフェースと、前記画像データに基づく画像を表示する第３の表示インタフェースとを有する
請求項１に記載の画像受信装置。
【請求項３】
前記第２の通信モジュールは、前記撮像装置との通信接続が確立された後、前記撮像装置との通信接続が終了する前に、前記第１の制御情報を前記撮像装置に送信し、
前記情報出力部は、前記撮像装置との通信接続が確立された後、前記撮像装置との通信接続が終了する前に、前記第２の制御情報を前記第２の表示インタフェースに出力する請求項１に記載の画像受信装置。
【請求項４】
前記記憶モジュールは、前記撮像装置と、前記撮像装置に電気的に接続されるレンズモジュールとの組合せを識別する前記第１の識別情報と、前記第２の識別情報とを関連付けて記憶する請求項１に記載の画像受信装置。
【請求項５】
前記撮像装置は、複数の動作モードを備え、
前記記憶モジュールは、前記撮像装置の動作モード毎に、前記第２の識別情報を記憶し、
前記第２の通信モジュールは、前記第１の表示インタフェースに対して、前記第１の情報を、前記撮像装置の動作モードに応じて表示させる前記第１の制御情報を前記撮像装置に送信し、
前記情報出力部は、前記第２の表示インタフェースに対して、前記第２の情報を、前記撮像装置の動作モードに応じて表示させる前記第２の制御情報を前記第２の表示インタフェースに出力する
請求項１に記載の画像受信装置。
【請求項６】
前記第１の識別情報と関連付けられて前記記憶モジュールに記憶されている前記第２の識別情報と異なる第２の識別情報と、前記情報取得部によって取得された前記第１の識別情報とを関連付けて前記記憶モジュールに記憶させる設定部をさらに有する請求項１に記載の画像受信装置。
【請求項７】
前記情報出力部はさらに、前記第２の表示インタフェースに対して、前記第１の識別情報と関連付けられて前記記憶モジュールに記憶されている前記第２の識別情報と異なる複数の第２の識別情報を含む設定画面を表示させるための設定画面情報を前記第２の表示インタフェースに出力し、
前記設定部は、前記第２の表示インタフェースが前記設定画面を表示した後、前記設定画面に表示された前記複数の第２の識別情報のいずれかを選択する選択指示に基づいて前記第２の識別情報を選択し、選択した前記第２の識別情報を、前記情報取得部によって取得された前記第１の識別情報と関連付けて前記記憶モジュールに記憶させる
請求項６に記載の画像受信装置。
【請求項８】
前記記憶モジュールに前記第１の識別情報と前記第２の識別情報とを記憶させる設定部をさらに有し、
前記第２の通信モジュールはさらに、前記第２の識別情報を保持するサーバに、前記第２の識別情報を要求することを示す要求情報を送信し、前記要求情報を受信した前記サーバから前記第２の識別情報を受信し、
前記設定部は、前記第２の通信モジュールによって受信された前記第２の識別情報を、前記情報取得部によって取得された前記第１の識別情報と関連付けて前記記憶モジュールに記憶させる請求項１に記載の画像受信装置。
【請求項９】
前記情報取得部はさらに、位置情報を取得し、
前記第２の通信モジュールは、前記サーバに、前記要求情報と前記位置情報とを送信し、前記要求情報を受信した前記サーバから、前記位置情報に応じた前記第２の識別情報を受信する請求項８に記載の画像受信装置。
【請求項１０】
前記第２の識別情報は、色情報を含み、
前記第２の通信モジュールは、前記第１の表示インタフェースに対して、前記第２の識別情報に含まれる前記色情報に対応する第１の色を表示させる前記第１の制御情報を前記撮像装置に送信し、
前記情報出力部は、前記第２の表示インタフェースに対して、前記第２の識別情報に含まれる前記色情報に対応する第２の色を表示させる前記第２の制御情報を前記第２の表示インタフェースに出力する請求項１に記載の画像受信装置。
【請求項１１】
前記第２の識別情報は、画像情報を含み、
前記第２の通信モジュールは、前記第１の表示インタフェースに対して、前記第２の識別情報に含まれる前記画像情報に対応する第１の画像を表示させる前記第１の制御情報を前記撮像装置に送信し、
前記情報出力部は、前記第２の表示インタフェースに対して、前記第２の識別情報に含まれる前記画像情報に対応する第２の画像を表示させる前記第２の制御情報を前記第２の表示インタフェースに出力する請求項１に記載の画像受信装置。
【請求項１２】
前記第２の識別情報は、所定の情報を表示する表示期間と、前記所定の情報を非表示にする非表示期間との組合せが示すパターンを識別するパターン情報を含み、
前記第２の通信モジュールは、前記撮像装置との通信接続が確立された後、前記第１の表示インタフェースに対して、前記第２の識別情報に含まれる前記パターン情報に対応する第１のパターンを表示させる第１の制御情報を前記撮像装置に送信し、
前記情報出力部は、前記撮像装置との通信接続が確立された後、前記第２の表示インタフェースに対して、前記第２の識別情報に含まれる前記パターン情報に対応する第２のパターンを表示させる前記第２の制御情報を前記第２の表示インタフェースに出力する請求項１に記載の画像受信装置。
【請求項１３】
前記情報出力部は、前記撮像装置との通信接続が確立された後、前記第２の表示インタフェースに対して、前記第１の表示インタフェースが表示する前記第１のパターンにおける第１の表示期間と、前記第２の識別情報に対応する前記第２のパターンにおける第２の表示期間とが同時に現れる、または順番に現れるように前記第２のパターンを表示させる前記第２の制御情報を前記第２の表示インタフェースに出力する請求項１２に記載の画像受信装置。
【請求項１４】
前記第２の識別情報は、前記表示期間を示す第１の時間情報と、前記非表示期間を示す第２の時間情報とを含む請求項１２に記載の画像受信装置。
【請求項１５】
前記第２の通信モジュールは、１つの画像受信装置のみと通信接続を確立可能な前記撮像装置に前記第１の制御情報を送信し、かつ、前記撮像装置から画像データを受信する、１つの前記撮像装置のみと通信接続を確立可能な、請求項１に記載の画像受信装置。
【請求項１６】
撮像装置であって、
撮像を行い、画像データを生成する撮像モジュールと、
第１の表示インタフェースと、
第２の通信モジュールを有すると共に、第２の表示インタフェースを有する、または前記第２の表示インタフェースが電気的に接続されている画像受信装置との通信接続が確立された後、前記第１の表示インタフェースに対して、前記撮像装置と前記画像受信装置とで通信接続が確立されていることを視覚的に識別する第２の識別情報に対応する第１の情報を表示させる第１の制御情報を前記画像受信装置から受信し、かつ、前記画像受信装置に前記画像データを送信する第１の通信モジュールと、
前記画像受信装置との通信接続が確立された後、前記第１の制御情報に基づいて、前記第１の表示インタフェースに対して、前記第１の情報を表示させる表示制御部と、
を有する撮像装置。
【請求項１７】
前記第１の通信モジュールはさらに、他の撮像装置から、前記他の撮像装置、または前記他の撮像装置に電気的に接続されるレンズモジュールを識別する第１の識別情報を受信し、受信した前記第１の識別情報を前記画像受信装置に送信する請求項１６に記載の撮像装置。
【請求項１８】
複数の画像受信装置に対して、異なる前記第２の識別情報を割り当てる情報割り当て部をさらに有し、
前記第１の通信モジュールはさらに、前記情報割り当て部によって割り当てられた前記第２の識別情報を前記複数の画像受信装置に送信する請求項１６に記載の撮像装置。
【請求項１９】
外部機器と電気的に接続する接続端子をさらに有する請求項１６に記載の撮像装置。
【請求項２０】
前記接続端子は、前記撮像装置において、前記撮像モジュールの撮像方向と逆方向に向く面に配置されている請求項１９に記載の撮像装置。
【請求項２１】
前記第１の表示インタフェースは、前記撮像装置において、前記接続端子の接続面が向く方向と同一方向に向く面に配置されている請求項１９に記載の撮像装置。
【請求項２２】
撮像装置と、画像受信装置とを有し、
前記撮像装置は、
撮像を行い、画像データを生成する撮像モジュールと、
第１の表示インタフェースと、
前記画像受信装置との通信接続が確立された後、前記第１の表示インタフェースに対して、前記撮像装置と前記画像受信装置とで通信接続が確立されていることを視覚的に識別する第２の識別情報に対応する第１の情報を表示させる第１の制御情報を前記画像受信装置から受信し、かつ、前記画像受信装置に前記画像データを送信する第１の通信モジュールと、
前記画像受信装置との通信接続が確立された後、前記第１の制御情報に基づいて、前記第１の表示インタフェースに対して、前記第１の情報を表示させる表示制御部と、
を有し、
前記画像受信装置は、
前記撮像装置、または前記撮像装置に電気的に接続されるレンズモジュールを識別する第１の識別情報と、前記第２の識別情報とを関連付けて記憶する記憶モジュールと、
前記撮像装置から前記第１の識別情報を取得する情報取得部と、
前記撮像装置との通信接続が確立された後、前記第１の表示インタフェースに対して、前記情報取得部によって取得された前記第１の識別情報と関連付けられて前記記憶モジュールに記憶されている前記第２の識別情報に対応する前記第１の情報を表示させる前記第１の制御情報を前記撮像装置に送信し、かつ、前記撮像装置から前記画像データを受信する第２の通信モジュールと、
前記画像受信装置が第２の表示インタフェースを有する場合、または前記画像受信装置に前記第２の表示インタフェースが電気的に接続されている場合、前記撮像装置との通信接続が確立された後、前記第２の表示インタフェースに対して、前記情報取得部によって取得された前記第１の識別情報と関連付けられて前記記憶モジュールに記憶されている前記第２の識別情報に対応する第２の情報を表示させる第２の制御情報を前記第２の表示インタフェースに出力する情報出力部と、
を有する撮像システム。
【請求項２３】
撮像モジュールと第１の表示インタフェースと第１の通信モジュールとを有する撮像装置、または前記撮像装置に電気的に接続されるレンズモジュールを識別する第１の識別情報を前記撮像装置から情報取得部が取得するステップと、
前記撮像装置との通信接続が確立された後、前記第１の表示インタフェースに対して、前記情報取得部によって取得された前記第１の識別情報と関連付けられて記憶モジュールに記憶されている、前記撮像装置と画像受信装置とで通信接続が確立されていることを視覚的に識別する第２の識別情報に対応する第１の情報を表示させる第１の制御情報を第２の通信モジュールが前記撮像装置に送信するステップと、
前記画像受信装置が第２の表示インタフェースを有する場合、または前記画像受信装置に前記第２の表示インタフェースが電気的に接続されている場合、前記撮像装置との通信接続が確立された後、前記第２の表示インタフェースに対して、前記情報取得部によって取得された前記第１の識別情報と関連付けられて前記記憶モジュールに記憶されている前記第２の識別情報に対応する第２の情報を表示させる第２の制御情報を情報出力部が前記第２の表示インタフェースに出力するステップと、
前記第２の通信モジュールが前記撮像装置から画像データを受信するステップと、
を有する画像受信方法。
【請求項２４】
撮像モジュールと第１の表示インタフェースと第１の通信モジュールとを有する撮像装置、または前記撮像装置に電気的に接続されるレンズモジュールを識別する第１の識別情報を前記撮像装置から取得するステップと、
前記撮像装置との通信接続が確立された後、前記第１の表示インタフェースに対して、取得された前記第１の識別情報と関連付けられて記憶モジュールに記憶されている、前記撮像装置と画像受信装置とで通信接続が確立されていることを視覚的に識別する第２の識別情報に対応する第１の情報を表示させる第１の制御情報を、第２の通信モジュールによって、前記撮像装置に送信するステップと、
前記画像受信装置が第２の表示インタフェースを有する場合、または前記画像受信装置に前記第２の表示インタフェースが電気的に接続されている場合、前記撮像装置との通信接続が確立された後、前記第２の表示インタフェースに対して、取得された前記第１の識別情報と関連付けられて前記記憶モジュールに記憶されている前記第２の識別情報に対応する第２の情報を表示させる第２の制御情報を前記第２の表示インタフェースに出力するステップと、
前記第２の通信モジュールによって、前記撮像装置から画像データを受信するステップと、
をコンピュータに実行させるためのプログラム。
【発明の詳細な説明】
【技術分野】
【０００１】
本発明は、撮像装置が画像データを送信し、画像受信装置が画像データを受信する技術に関する。
【背景技術】
【０００２】
カメラが撮影した映像を、カメラとは別の映像受信装置が表示する技術が特許文献１に記載されている。この技術では、どのカメラとどの映像受信装置とが対応しているのかを容易に知ることができるようにするため、映像受信装置が複数のカメラからの映像をカメラの識別情報と一緒に表示する。カメラの識別情報はカメラ名である。また、この技術では、映像受信装置がカメラの識別情報（カメラ名）と映像受信装置の識別情報（映像受信装置名）とを同時に表示する。
【０００３】
プレゼンテーションで利用されるプロジェクタ等の画像表示装置の接続確認を容易にする技術が特許文献２に記載されている。この技術では、画像表示装置が識別情報（例えば色情報）を自動で生成し、識別情報を表示する。ＰＣ等の画像送信装置は、画像表示装置から識別情報を受信して識別情報の一覧を表示する。画像送信装置は、ユーザが選択した画像表示装置に対して画像情報を送信する。
【先行技術文献】
【特許文献】
【０００４】
【特許文献１】特開２００５−１５１６０１号公報
【特許文献２】特開２００５−９９５３１号公報
【発明の概要】
【発明が解決しようとする課題】
【０００５】
他の装置と無線接続するカメラ（撮像装置）と、カメラから画像データを受信する端末（画像受信装置）とを有するシステムにおいて、カメラと端末との対応関係を把握する必要がある。
【０００６】
特許文献１に記載の技術では、カメラ名と映像受信装置名とを映像受信装置のモニタの画面に出力することで、マルチカメラのモニタリングの容易化が図られている。しかしながら、カメラは、識別情報を表示する手段を備えていないため、カメラ側で端末と通信中かどうかの確認ができない。つまり、通信中のカメラと端末とのペアを視覚によって直観的に確認することができない。
【０００７】
特許文献２に記載の技術では、画像送信装置と画像表示装置とが任意の識別情報を表示することができる。しかし、この識別情報は、画像送信装置が画像表示装置と通信により接続する際に、意図する画像表示装置に接続するために使用される。一方、通信接続が確立された後、画像を表示する際に識別情報を表示することは記載されていない。つまり、通信中のカメラと端末とのペアを視覚によって直観的に確認することができない。
【０００８】
また、特許文献１，２に記載のいずれの技術においても、カメラに電気的に接続されるレンズモジュールと端末との通信における対応関係を視覚的に識別することができない。
【０００９】
本発明は、撮像装置、または撮像装置に電気的に接続されるレンズモジュールと画像受信装置との通信における対応関係の確認を容易にする技術を提供する。
【課題を解決するための手段】
【００１０】
本発明は、画像受信装置であって、撮像モジュールと第１の表示インタフェースと第１の通信モジュールとを有する撮像装置、または前記撮像装置に電気的に接続されるレンズモジュールを識別する第１の識別情報と、前記撮像装置と前記画像受信装置とで通信接続が確立されていることを視覚的に識別する第２の識別情報とを関連付けて記憶する記憶モジュールと、前記撮像装置から前記第１の識別情報を取得する情報取得部と、前記撮像装置との通信接続が確立された後、前記第１の表示インタフェースに対して、前記情報取得部によって取得された前記第１の識別情報と関連付けられて前記記憶モジュールに記憶されている前記第２の識別情報に対応する第１の情報を表示させる第１の制御情報を前記撮像装置に送信し、かつ、前記撮像装置から画像データを受信する第２の通信モジュールと、前記画像受信装置が第２の表示インタフェースを有する場合、または前記画像受信装置に前記第２の表示インタフェースが電気的に接続されている場合、前記撮像装置との通信接続が確立された後、前記第２の表示インタフェースに対して、前記情報取得部によって取得された前記第１の識別情報と関連付けられて前記記憶モジュールに記憶されている前記第２の識別情報に対応する第２の情報を表示させる第２の制御情報を前記第２の表示インタフェースに出力する情報出力部と、を有する画像受信装置である。
【００１１】
また、本発明は、撮像装置であって、撮像を行い、画像データを生成する撮像モジュールと、第１の表示インタフェースと、第２の通信モジュールを有すると共に、第２の表示インタフェースを有する、または前記第２の表示インタフェースが電気的に接続されている画像受信装置との通信接続が確立された後、前記第１の表示インタフェースに対して、前記撮像装置と前記画像受信装置とで通信接続が確立されていることを視覚的に識別する第２の識別情報に対応する第１の情報を表示させる第１の制御情報を前記画像受信装置から受信し、かつ、前記画像受信装置に前記画像データを送信する第１の通信モジュールと、前記画像受信装置との通信接続が確立された後、前記第１の制御情報に基づいて、前記第１の表示インタフェースに対して、前記第１の情報を表示させる表示制御部と、を有する撮像装置である。
【００１２】
また、本発明は、撮像装置と、画像受信装置とを有し、前記撮像装置は、撮像を行い、画像データを生成する撮像モジュールと、第１の表示インタフェースと、前記画像受信装置との通信接続が確立された後、前記第１の表示インタフェースに対して、前記撮像装置と前記画像受信装置とで通信接続が確立されていることを視覚的に識別する第２の識別情報に対応する第１の情報を表示させる第１の制御情報を前記画像受信装置から受信し、かつ、前記画像受信装置に前記画像データを送信する第１の通信モジュールと、前記画像受信装置との通信接続が確立された後、前記第１の制御情報に基づいて、前記第１の表示インタフェースに対して、前記第１の情報を表示させる表示制御部と、を有し、前記画像受信装置は、前記撮像装置、または前記撮像装置に電気的に接続されるレンズモジュールを識別する第１の識別情報と、前記第２の識別情報とを関連付けて記憶する記憶モジュールと、前記撮像装置から前記第１の識別情報を取得する情報取得部と、前記撮像装置との通信接続が確立された後、前記第１の表示インタフェースに対して、前記情報取得部によって取得された前記第１の識別情報と関連付けられて前記記憶モジュールに記憶されている前記第２の識別情報に対応する前記第１の情報を表示させる前記第１の制御情報を前記撮像装置に送信し、かつ、前記撮像装置から前記画像データを受信する第２の通信モジュールと、前記画像受信装置が第２の表示インタフェースを有する場合、または前記画像受信装置に前記第２の表示インタフェースが電気的に接続されている場合、前記撮像装置との通信接続が確立された後、前記第２の表示インタフェースに対して、前記情報取得部によって取得された前記第１の識別情報と関連付けられて前記記憶モジュールに記憶されている前記第２の識別情報に対応する第２の情報を表示させる第２の制御情報を前記第２の表示インタフェースに出力する情報出力部と、を有する撮像システムである。
【００１３】
また、本発明は、撮像モジュールと第１の表示インタフェースと第１の通信モジュールとを有する撮像装置、または前記撮像装置に電気的に接続されるレンズモジュールを識別する第１の識別情報を前記撮像装置から情報取得部が取得するステップと、前記撮像装置との通信接続が確立された後、前記第１の表示インタフェースに対して、前記情報取得部によって取得された前記第１の識別情報と関連付けられて記憶モジュールに記憶されている、前記撮像装置と画像受信装置とで通信接続が確立されていることを視覚的に識別する第２の識別情報に対応する第１の情報を表示させる第１の制御情報を第２の通信モジュールが前記撮像装置に送信するステップと、前記画像受信装置が第２の表示インタフェースを有する場合、または前記画像受信装置に前記第２の表示インタフェースが電気的に接続されている場合、前記撮像装置との通信接続が確立された後、前記第２の表示インタフェースに対して、前記情報取得部によって取得された前記第１の識別情報と関連付けられて前記記憶モジュールに記憶されている前記第２の識別情報に対応する第２の情報を表示させる第２の制御情報を情報出力部が前記第２の表示インタフェースに出力するステップと、前記第２の通信モジュールが前記撮像装置から画像データを受信するステップと、を有する画像受信方法である。
【００１４】
また、本発明は、撮像モジュールと第１の表示インタフェースと第１の通信モジュールとを有する撮像装置、または前記撮像装置に電気的に接続されるレンズモジュールを識別する第１の識別情報を前記撮像装置から取得するステップと、前記撮像装置との通信接続が確立された後、前記第１の表示インタフェースに対して、取得された前記第１の識別情報と関連付けられて記憶モジュールに記憶されている、前記撮像装置と画像受信装置とで通信接続が確立されていることを視覚的に識別する第２の識別情報に対応する第１の情報を表示させる第１の制御情報を、第２の通信モジュールによって、前記撮像装置に送信するステップと、前記画像受信装置が第２の表示インタフェースを有する場合、または前記画像受信装置に前記第２の表示インタフェースが電気的に接続されている場合、前記撮像装置との通信接続が確立された後、前記第２の表示インタフェースに対して、取得された前記第１の識別情報と関連付けられて前記記憶モジュールに記憶されている前記第２の識別情報に対応する第２の情報を表示させる第２の制御情報を前記第２の表示インタフェースに出力するステップと、前記第２の通信モジュールによって、前記撮像装置から画像データを受信するステップと、をコンピュータに実行させるためのプログラムである。
【発明の効果】
【００１５】
本発明によれば、撮像装置との通信接続が確立された後、撮像装置の第１の表示インタフェースに対して第１の情報を表示させる第１の制御情報が撮像装置に送信され、かつ、画像受信装置の第２の表示インタフェースに対して第２の情報を表示させる第２の制御情報が第２の表示インタフェースに出力される。このため、撮像装置との通信接続が確立された後、撮像装置の第１の表示インタフェースに第１の情報が表示され、画像受信装置の第２の表示インタフェースに第２の情報が表示される。これによって、撮像装置、または撮像装置に電気的に接続されるレンズモジュールと画像受信装置との通信における対応関係の確認を容易にすることができる。
【図面の簡単な説明】
【００１６】
【図１】本発明の第１の実施形態による撮像システムの第１の構成例を示すブロック図である。
【図２】本発明の第１の実施形態による撮像システムの第２の構成例を示すブロック図である。
【図３】本発明の第１の実施形態による画像受信装置の動作の手順の例を示すフローチャートである。
【図４】本発明の第２の実施形態による撮像システムの構成例を示す外観図である。
【図５】本発明の第２の実施形態において、記憶モジュールに記憶される第１の識別情報と第２の識別情報との例を示す参考図である。
【図６】本発明の第２の実施形態による画像受信装置の動作の手順の例を示すフローチャートである。
【図７】本発明の第３の実施形態による撮像システムの構成例を示す外観図である。
【図８】本発明の第３の実施形態の変形例による撮像システムの構成例を示す外観図である。
【図９】本発明の第３の実施形態の変形例において、記憶モジュールに記憶される第１の識別情報と第２の識別情報との例を示す参考図である。
【図１０】本発明の第３の実施形態の変形例による画像受信装置の動作の手順の例を示すフローチャートである。
【図１１】本発明の第４の実施形態による撮像システムの構成例を示す外観図である。
【図１２】本発明の第４の実施形態において、記憶モジュールに記憶される第１の識別情報と第２の識別情報との例を示す参考図である。
【図１３】本発明の第４の実施形態における第１のパターンと第２のパターンとの例を示す参考図である。
【図１４】本発明の第４の実施形態による画像受信装置の動作の手順の例を示すフローチャートである。
【図１５】本発明の第５の実施形態において、記憶モジュールに記憶される第１の識別情報と第２の識別情報との例を示す参考図である。
【図１６】本発明の第５の実施形態による画像受信装置の動作の手順の例を示すフローチャートである。
【図１７】本発明の第５の実施形態の変形例において、記憶モジュールに記憶される第１の識別情報と第２の識別情報との例を示す参考図である。
【図１８】本発明の第５の実施形態の変形例による画像受信装置の動作の手順の例を示すフローチャートである。
【図１９】本発明の第６の実施形態において、記憶モジュールに記憶される第１の識別情報と第２の識別情報との例を示す参考図である。
【図２０】本発明の第６の実施形態による画像受信装置の動作の手順の例を示すフローチャートである。
【図２１】本発明の第７の実施形態による撮像システムの構成例を示すブロック図である。
【図２２】本発明の第７の実施形態による画像受信装置の動作の手順の例を示すフローチャートである。
【図２３】本発明の第７の実施形態において、第２の表示インタフェースに表示される設定画面の例を示す参考図である。
【図２４】本発明の第８の実施形態による画像受信装置のディスプレイに表示される画面の例を示す参考図である。
【図２５】本発明の第９の実施形態による撮像システムの構成例を示すブロック図である。
【図２６】本発明の第９の実施形態による撮像システムの構成例を示す外観図である。
【図２７】本発明の第９の実施形態による撮像装置の動作の手順の例を示すフローチャートである。
【図２８】本発明の第１０の実施形態による撮像システムの構成例を示すブロック図である。
【図２９】本発明の第１０の実施形態による画像受信装置の動作の手順の例を示すフローチャートである。
【図３０】本発明の第１０の実施形態によるサーバの動作の手順の例を示すフローチャートである。
【図３１】本発明の第１１の実施形態による撮像システムの構成例を示す外観図である。
【図３２】本発明の第１１の実施形態の変形例による撮像システムの構成例を示す外観図である。
【図３３】１台の端末が、それぞれ異なるレンズを取り付けた複数のカメラを切り替えてカメラと通信により接続するシステムの例を示す参考図である。
【図３４】複数の端末がカメラを共有するシステムの例を示す参考図である。
【図３５】有線通信を行うカメラを有するシステムの例を示す参考図である。
【発明を実施するための形態】
【００１７】
以下、図面を参照し、本発明の実施形態を説明する。
【００１８】
（第１の実施形態）
＜第１の構成例＞
まず、本発明の第１の実施形態を説明する。図１は、本実施形態による撮像システムの第１の構成例を示している。図１に示す撮像システムは、撮像装置１０と、画像受信装置２０とを有する。図１では１台の撮像装置１０と１台の画像受信装置２０とが示されているが、撮像システムが２台以上の撮像装置１０または２台以上の画像受信装置２０を有していてもよい。
【００１９】
撮像装置１０は、撮像モジュール１００と、第１の表示インタフェース１０１と、第１の通信モジュール１０２と、表示制御部１０３とを有する。撮像モジュール１００は、撮像を行い、画像データを生成する。例えば、撮像モジュール１００はレンズモジュールと一体化されている。または、撮像モジュール１００にレンズモジュールを取り付け、レンズモジュールを電気的に接続すること、および撮像モジュール１００からレンズモジュールを取り外すことが可能である。第１の表示インタフェース１０１（第１の表示モジュール、第１の表示デバイス）は、表示制御部１０３が行う制御に従って、通信により接続する撮像装置１０と画像受信装置２０との組合せを示す第１の情報を表示する。
【００２０】
第１の通信モジュール１０２（第１の通信デバイス）は、画像受信装置２０との通信接続が確立された後、第１の表示インタフェース１０１に対して、表示内容を識別する第２の識別情報に対応する第１の情報を表示させる第１の制御情報を画像受信装置２０から受信し、かつ、画像受信装置２０に画像データを送信する。表示制御部１０３（制御モジュール、制御デバイス）は、画像受信装置２０との通信接続が確立された後、第１の制御情報に基づいて、第１の表示インタフェース１０１に対して、第１の情報を表示させる。
【００２１】
画像受信装置２０は、記憶モジュール２００と、情報取得部２０１と、第２の通信モジュール２０２と、第２の表示インタフェース２０３と、情報出力部２０４とを有する。記憶モジュール２００（記憶デバイス）は、画像受信装置２０に内蔵されるメモリ等の不揮発性記録媒体または揮発性記録媒体である。記憶モジュール２００は、撮像装置１０、または撮像装置１０に電気的に接続されるレンズモジュールを識別する第１の識別情報と、撮像装置１０と画像受信装置２０とで通信接続が確立されていることを視覚的に識別する第２の識別情報とを関連付けて記憶する。
【００２２】
情報取得部２０１は、撮像装置１０から第１の識別情報を取得する。例えば、情報取得部２０１は、第２の通信モジュール２０２を介して撮像装置１０から第１の識別情報を受信することによって、第１の識別情報を取得する。
【００２３】
第２の通信モジュール２０２（第２の通信デバイス）は、撮像装置１０との通信接続が確立された後、第１の表示インタフェース１０１に対して、情報取得部２０１によって取得された第１の識別情報と関連付けられて記憶モジュール２００に記憶されている第２の識別情報に対応する第１の情報を表示させる第１の制御情報を撮像装置１０に送信し、かつ、撮像装置１０から画像データを受信する。第１の通信モジュール１０２と第２の通信モジュール２０２とによって行われる、撮像装置１０と画像受信装置２０との通信は、無線通信と有線通信とのどちらであってもよい。
【００２４】
第２の表示インタフェース２０３（第２の表示モジュール、第２の表示デバイス）は、通信により接続する撮像装置１０と画像受信装置２０との組合せを示す第２の情報を表示する。情報出力部２０４は、撮像装置１０との通信接続が確立された後、第２の表示インタフェース２０３に対して、情報取得部２０１によって取得された第１の識別情報と関連付けられて記憶モジュール２００に記憶されている第２の識別情報に対応する第２の情報を表示させる第２の制御情報を第２の表示インタフェース２０３に出力する。
【００２５】
情報取得部２０１は、記憶モジュール２００に記憶されている第２の識別情報のうち、情報取得部２０１によって取得された第１の識別情報と関連付けられている第２の識別情報を記憶モジュール２００から取得してもよい。また、画像受信装置２０は、記憶モジュール２００から取得された第２の識別情報に基づいて第１の制御情報と第２の制御情報とを生成する情報生成部を有していてもよい。
【００２６】
第１の識別情報は、撮像装置１０を識別する情報、または撮像装置１０に電気的に接続されるレンズモジュールを識別する情報である。例えば、撮像装置１０を識別する情報は、撮像装置１０のＩＤ（ＳＳＩＤ）である。撮像装置１０を識別する情報は、撮像装置１０の性能（画素数や感度等）に応じた情報であってもよい。撮像装置１０を識別する情報は、複数の撮像装置に対して重複しないように割り当てられる情報であればどのような情報であってもよい。
【００２７】
例えば、レンズモジュールを識別する情報は、レンズモジュールのＩＤである。レンズモジュールを識別する情報は、レンズモジュールの性能（焦点距離やＦ値等）に応じた情報であってもよい。レンズモジュールを識別する情報は、複数のレンズモジュールに対して重複しないように割り当てられる情報であればどのような情報であってもよい。
【００２８】
第２の識別情報は、第１の表示インタフェース１０１と第２の表示インタフェース２０３とが行う表示の内容を識別する情報であり、撮像装置１０と画像受信装置２０との間で通信接続が確立されていることを視覚的に識別可能にする情報である。表示とは、何らかの情報（概念を含む）を、視覚的に識別可能に提示することを示す。表示によって提示される情報は、色、画像、文字、記号、図形、パターン等である。
【００２９】
第１の表示インタフェース１０１による単独の表示または第２の表示インタフェース２０３による単独の表示によっては撮像装置１０と画像受信装置２０との通信接続が必ずしも特定されない。しかし、第１の表示インタフェース１０１による表示と、第２の表示インタフェース２０３による表示とが関連付けられることで、撮像装置１０と画像受信装置２０との通信接続を特定することが可能となる。
【００３０】
例えば、第１の表示インタフェース１０１と第２の表示インタフェース２０３とが、関連付けられた色を表示することで撮像装置１０と画像受信装置２０との通信接続が特定される。この場合、第２の識別情報は、第１の表示インタフェース１０１と第２の表示インタフェース２０３とによって表示される色を示す情報である。例えば、第１の表示インタフェース１０１と第２の表示インタフェース２０３とが同一の色を表示する。
【００３１】
第１の表示インタフェース１０１と第２の表示インタフェース２０３とによって表示される色の関連性が事前に示されていれば、第１の表示インタフェース１０１と第２の表示インタフェース２０３とによって表示される色は同一でなくてもよい。例えば、第１の表示インタフェース１０１が濃い赤を表示し、第２の表示インタフェース２０３が薄い赤を表示してもよい。あるいは、第１の表示インタフェース１０１が青を表示し、第２の表示インタフェース２０３が、青の系統の別の色（例えば、紫）を表示してもよい。
【００３２】
また、例えば、第１の表示インタフェース１０１と第２の表示インタフェース２０３とが、関連付けられた画像を表示することで撮像装置１０と画像受信装置２０との通信接続が特定される。この場合、第２の識別情報は、第１の表示インタフェース１０１と第２の表示インタフェース２０３とによって表示される画像を示す情報である。例えば、第１の表示インタフェース１０１と第２の表示インタフェース２０３とが同一の画像を表示する。撮像装置１０が、撮像モジュール１００によって生成された画像データを内部に保存している場合、第１の表示インタフェース１０１と第２の表示インタフェース２０３とによって表示される画像は、撮像装置１０に保存されている画像と同一の画像であってもよい。
【００３３】
第１の表示インタフェース１０１と第２の表示インタフェース２０３とによって表示される画像の関連性が事前に示されていれば、第１の表示インタフェース１０１と第２の表示インタフェース２０３とによって表示される画像は同一でなくてもよい。例えば、第１の表示インタフェース１０１と第２の表示インタフェース２０３とによって表示される画像が、同一の被写体についての画角の異なる画像であってもよい。
【００３４】
また、例えば、第１の表示インタフェース１０１と第２の表示インタフェース２０３とが、関連付けられたパターンを表示することで撮像装置１０と画像受信装置２０との通信接続が特定される。この場合、第２の識別情報は、第１の表示インタフェース１０１と第２の表示インタフェース２０３とによって表示されるパターンを示す情報である。例えば、表示されるパターンは、所定の情報を表示する表示期間と、所定の情報を非表示にする非表示期間との組合せで表される。
【００３５】
例えば、表示期間は、ＬＥＤ等の発光素子が点灯する（オンとなる）期間である。例えば、非表示期間は、ＬＥＤ等の発光素子が消灯する（オフとなる）期間である。この場合、表示期間に表示される所定の情報は発光素子の点灯を示している。表示期間と非表示期間との長さによって、パターンを識別することが可能である。あるいは、表示期間の数（発光素子が点灯する回数）によってパターンを識別することが可能である。表示期間は、所定の文字や図形等を表示する期間であってもよい。非表示期間は、所定の文字や図形等を非表示にする期間であってもよい。
【００３６】
例えば、第１の表示インタフェース１０１と第２の表示インタフェース２０３とが同一のパターンを表示する。第１の表示インタフェース１０１と第２の表示インタフェース２０３とによって表示されるパターンの関連性が事前に示されていれば、第１の表示インタフェース１０１と第２の表示インタフェース２０３とによって表示されるパターンは同一でなくてもよい。
【００３７】
第２の識別情報は、文字や、記号、図形等であってもよい。また、第２の識別情報は、点灯している発光素子の数等であってもよい。
【００３８】
第２の識別情報に対応する第１の情報と、第２の識別情報に対応する第２の情報とは、上記のように、色、画像、文字、記号、図形、パターン等である。例えば、第１の情報と第２の情報とは、同一の情報である。また、上記のように、第１の表示インタフェース１０１による表示の内容と、第２の表示インタフェース２０３による表示の内容とが異なる場合があるため、第１の情報と第２の情報とが、異なる情報であってもよい。画像受信装置２０，２１が第１の情報の表示と第２の情報の表示とを常時行ってもよいし、定期的に行ってもよい。
【００３９】
記憶モジュール２００は、画像受信装置２０の動作を制御するためのプログラムや必要なデータを記憶してもよい。情報取得部２０１と情報出力部２０４との機能は、例えばＣＰＵ（Central Processing Unit）等の制御モジュール（制御デバイス）の動作を制御するためのプログラムを、画像受信装置２０のコンピュータが読み込んで実行することにより、ソフトウェアの機能として実現可能である。また、このプログラムは、例えばフラッシュメモリのような「コンピュータ読み取り可能な記録媒体」により提供されてもよい。また、上述したプログラムは、このプログラムを記憶装置等に格納したコンピュータから、伝送媒体を介して、あるいは伝送媒体中の伝送波により画像受信装置２０に伝送されることで画像受信装置２０に入力されてもよい。ここで、プログラムを伝送する「伝送媒体」は、インターネット等のネットワーク（通信網）や電話回線等の通信回線（通信線）のように、情報を伝送する機能を有する媒体である。また、上述したプログラムは、前述した機能の一部を実現してもよい。さらに、上述したプログラムは、前述した機能をコンピュータに既に記録されているプログラムとの組合せで実現できる、いわゆる差分ファイル（差分プログラム）であってもよい。
【００４０】
＜第２の構成例＞
図２は、本実施形態による撮像システムの第２の構成例を示している。図２に示す撮像システムは、撮像装置１０と、画像受信装置２１とを有する。図２では１台の撮像装置１０と１台の画像受信装置２１とが示されているが、撮像システムが２台以上の撮像装置１０または２台以上の画像受信装置２１を有していてもよい。撮像装置１０の構成については、既に説明したので、説明を省略する。
【００４１】
画像受信装置２１は、記憶モジュール２００と、情報取得部２０１と、第２の通信モジュール２０２と、情報出力部２０４とを有する。既に説明した構成については説明を省略する。図１に示す画像受信装置２０は第２の表示インタフェース２０３を有しているが、図２に示す画像受信装置２１は第２の表示インタフェース２０３を有していない。第２の表示インタフェース２０３は画像受信装置２１に電気的に接続されている。第２の表示インタフェース２０３は、画像受信装置２１に取り付けること、および、画像受信装置２１から取り外すことが可能である。第２の表示インタフェース２０３が画像受信装置２１に取り付けられているとき、第２の表示インタフェース２０３は画像受信装置２１に電気的に接続される。
【００４２】
＜動作＞
図３は、画像受信装置２０，２１の動作の手順の例を示している。図３を参照して、画像受信装置２０，２１の動作を説明する。
【００４３】
情報取得部２０１は、撮像装置１０、または撮像装置１０に電気的に接続されるレンズモジュールを識別する第１の識別情報を撮像装置１０から取得する（ステップＳ１００）。
【００４４】
続いて、第２の通信モジュール２０２は、第１の表示インタフェース１０１に対して、ステップＳ１００で取得された第１の識別情報と関連付けられて記憶モジュール２００に記憶されている第２の識別情報に対応する第１の情報を表示させる第１の制御情報を撮像装置１０に送信する（ステップＳ１０５）。記憶モジュール２００が、撮像装置１０との通信接続に必要な無線接続設定情報を記憶している場合、撮像装置１０の電源が投入されていれば、第２の通信モジュール２０２は撮像装置１０に自動で通信により接続することが可能である。
【００４５】
続いて、情報出力部２０４は、第２の表示インタフェース２０３に対して、ステップＳ１００で取得された第１の識別情報と関連付けられて記憶モジュール２００に記憶されている第２の識別情報に対応する第２の情報を表示させる第２の制御情報を第２の表示インタフェース２０３に出力する（ステップＳ１１０）。
【００４６】
続いて、第２の通信モジュール２０２は、撮像装置１０から画像データを受信する（ステップＳ１１５）。例えば、ステップＳ１１５で受信される画像データは、構図を決定するためのライブビュー画像（動画像、スルー画）等を表示するための画像データである。撮像装置１０が、撮像モジュール１００によって生成された画像データを記憶するメモリ等の記憶モジュールを有する場合、ステップＳ１１５で受信される画像データは、撮像装置１０の記憶モジュールに記憶されている画像データであってもよい。例えば、この画像データは、撮影が行われていない状態で閲覧される画像を表示するための画像データである。第２の表示インタフェース２０３は、ステップＳ１１５で受信された画像データに基づく画像を表示してもよい。
【００４７】
第２の通信モジュール２０２は、少なくとも、撮像装置１０との通信接続が確立された後、ステップＳ１０５で第１の制御情報を撮像装置１０に送信する。第２の通信モジュール２０２は、撮像装置１０との通信接続が確立された後、撮像装置１０との通信接続が終了する前に、第１の制御情報を撮像装置１０に送信することが望ましい。
【００４８】
情報出力部２０４は、少なくとも、撮像装置１０との通信接続が確立された後、ステップＳ１１０で第２の制御情報を第２の表示インタフェース２０３に出力する。情報出力部２０４は、撮像装置１０との通信接続が確立された後、撮像装置１０との通信接続が終了する前に、第２の制御情報を第２の表示インタフェース２０３に出力することが望ましい。
【００４９】
第１の制御情報の送信（ステップＳ１０５）と、第２の制御情報の出力（ステップＳ１１０）とは、画像データの受信（ステップＳ１１５）よりも前に行われることが望ましい。撮影時に、構図を決定するためのライブビュー画像を表示するために画像データが連続的に送信される場合、画像データの連続的な送信の途中で第１の制御情報の送信（ステップＳ１０５）と、第２の制御情報の出力（ステップＳ１１０）とが行われてもよい。
【００５０】
ステップＳ１１０で第２の制御情報が出力された後、ステップＳ１０５で第１の制御情報が送信されてもよい。また、第１の制御情報の送信（ステップＳ１０５）と、第２の制御情報の出力（ステップＳ１１０）とが並行的に行われてもよい。
【００５１】
ステップＳ１００〜Ｓ１１０の動作が行われる間、画像受信装置２０，２１は待機モード（スタンバイモード、スリープモード）になっていてもよい。一般的に、待機モードは、通常の動作モードに比較して、消費する電力が少ないモードである。たとえば、待機モードの場合、画像受信装置２０，２１は、撮像装置１０から送信される画像を表示しない。ステップＳ１００〜Ｓ１１０の動作が待機モードで行われる場合、画像受信装置２０，２１の動作モードが待機モードから撮影モード等に遷移した後、ステップＳ１１５で画像データが受信される。
【００５２】
本実施形態によれば、画像受信装置２０，２１であって、撮像モジュール１００と第１の表示インタフェース１０１と第１の通信モジュール１０２とを有する撮像装置１０、または撮像装置１０に電気的に接続されるレンズモジュールを識別する第１の識別情報と、撮像装置１０と画像受信装置２０，２１とで通信接続が確立されていることを視覚的に識別する第２の識別情報とを関連付けて記憶する記憶モジュール２００と、撮像装置１０から第１の識別情報を取得する情報取得部２０１と、撮像装置１０との通信接続が確立された後、第１の表示インタフェース１０１に対して、情報取得部２０１によって取得された第１の識別情報と関連付けられて記憶モジュール２００に記憶されている第２の識別情報に対応する第１の情報を表示させる第１の制御情報を撮像装置１０に送信し、かつ、撮像装置１０から画像データを受信する第２の通信モジュール２０２と、画像受信装置２０，２１が第２の表示インタフェース２０３を有する場合、または画像受信装置２０，２１に第２の表示インタフェース２０３が電気的に接続されている場合、撮像装置１０との通信接続が確立された後、第２の表示インタフェース２０３に対して、情報取得部２０１によって取得された第１の識別情報と関連付けられて記憶モジュール２００に記憶されている第２の識別情報に対応する第２の情報を表示させる第２の制御情報を第２の表示インタフェース２０３に出力する情報出力部２０４と、を有する画像受信装置２０，２１が構成される。
【００５３】
また、本実施形態によれば、撮像装置１０であって、撮像を行い、画像データを生成する撮像モジュール１００と、第１の表示インタフェース１０１と、第２の通信モジュール２０２を有すると共に、第２の表示インタフェース２０３を有する、または第２の表示インタフェース２０３が電気的に接続されている画像受信装置２０，２１との通信接続が確立された後、第１の表示インタフェース１０１に対して、撮像装置１０と画像受信装置２０，２１とで通信接続が確立されていることを視覚的に識別する第２の識別情報に対応する第１の情報を表示させる第１の制御情報を画像受信装置２０，２１から受信し、かつ、画像受信装置２０，２１に画像データを送信する第１の通信モジュール１０２と、画像受信装置２０，２１との通信接続が確立された後、第１の制御情報に基づいて、第１の表示インタフェース１０１に対して、第１の情報を表示させる表示制御部１０３と、を有する撮像装置１０が構成される。
【００５４】
また、本実施形態によれば、撮像装置１０と、画像受信装置２０，２１とを有し、撮像装置１０は、撮像を行い、画像データを生成する撮像モジュール１００と、第１の表示インタフェース１０１と、画像受信装置２０，２１との通信接続が確立された後、第１の表示インタフェース１０１に対して、撮像装置１０と画像受信装置２０，２１とで通信接続が確立されていることを視覚的に識別する第２の識別情報に対応する第１の情報を表示させる第１の制御情報を画像受信装置２０，２１から受信し、かつ、画像受信装置２０，２１に画像データを送信する第１の通信モジュール１０２と、画像受信装置２０，２１との通信接続が確立された後、第１の制御情報に基づいて、第１の表示インタフェース１０１に対して、第１の情報を表示させる表示制御部１０３と、を有し、画像受信装置２０，２１は、撮像装置１０、または撮像装置１０に電気的に接続されるレンズモジュールを識別する第１の識別情報と、第２の識別情報とを関連付けて記憶する記憶モジュール２００と、撮像装置１０から第１の識別情報を取得する情報取得部２０１と、撮像装置１０との通信接続が確立された後、第１の表示インタフェース１０１に対して、情報取得部２０１によって取得された第１の識別情報と関連付けられて記憶モジュール２００に記憶されている第２の識別情報に対応する第１の情報を表示させる第１の制御情報を撮像装置１０に送信し、かつ、撮像装置１０から画像データを受信する第２の通信モジュール２０２と、画像受信装置２０が第２の表示インタフェース２０３を有する場合、または画像受信装置２１に第２の表示インタフェース２０３が電気的に接続されている場合、撮像装置１０との通信接続が確立された後、第２の表示インタフェース２０３に対して、情報取得部２０１によって取得された第１の識別情報と関連付けられて記憶モジュール２００に記憶されている第２の識別情報に対応する第２の情報を表示させる第２の制御情報を第２の表示インタフェース２０３に出力する情報出力部２０４と、を有する撮像システムが構成される。
【００５５】
また、本実施形態によれば、撮像モジュール１００と第１の表示インタフェース１０１と第１の通信モジュール１０２とを有する撮像装置１０、または撮像装置１０に電気的に接続されるレンズモジュールを識別する第１の識別情報を撮像装置１０から情報取得部２０１が取得するステップＳ１００と、撮像装置１０との通信接続が確立された後、第１の表示インタフェース１０１に対して、情報取得部２０１によって取得された第１の識別情報と関連付けられて記憶モジュール２００に記憶されている、撮像装置１０と画像受信装置２０，２１とで通信接続が確立されていることを視覚的に識別する第２の識別情報に対応する第１の情報を表示させる第１の制御情報を第２の通信モジュール２０２が撮像装置１０に送信するステップＳ１０５と、画像受信装置２０が第２の表示インタフェース２０３を有する場合、または画像受信装置２１に第２の表示インタフェース２０３が電気的に接続されている場合、撮像装置１０との通信接続が確立された後、第２の表示インタフェース２０３に対して、情報取得部２０１によって取得された第１の識別情報と関連付けられて記憶モジュール２００に記憶されている第２の識別情報に対応する第２の情報を表示させる第２の制御情報を情報出力部２０４が第２の表示インタフェース２０３に出力するステップＳ１１０と、第２の通信モジュール２０２が撮像装置１０から画像データを受信するステップＳ１１５と、を有する画像受信方法が構成される。
【００５６】
また、本実施形態によれば、撮像モジュール１００と第１の表示インタフェース１０１と第１の通信モジュール１０２とを有する撮像装置１０、または撮像装置１０に電気的に接続されるレンズモジュールを識別する第１の識別情報を撮像装置１０から取得するステップＳ１００と、撮像装置１０との通信接続が確立された後、第１の表示インタフェース１０１に対して、取得された第１の識別情報と関連付けられて記憶モジュール２００に記憶されている、撮像装置１０と画像受信装置２０，２１とで通信接続が確立されていることを視覚的に識別する第２の識別情報に対応する第１の情報を表示させる第１の制御情報を、第２の通信モジュール２０２によって、撮像装置１０に送信するステップＳ１０５と、画像受信装置２０が第２の表示インタフェース２０３を有する場合、または画像受信装置２１に第２の表示インタフェース２０３が電気的に接続されている場合、撮像装置１０との通信接続が確立された後、第２の表示インタフェース２０３に対して、取得された第１の識別情報と関連付けられて記憶モジュール２００に記憶されている第２の識別情報に対応する第２の情報を表示させる第２の制御情報を第２の表示インタフェース２０３に出力するステップＳ１１０と、第２の通信モジュール２０２によって、撮像装置１０から画像データを受信するステップＳ１１５と、をコンピュータに実行させるためのプログラムが構成される。
【００５７】
本実施形態では、撮像装置１０との通信接続が確立された後、撮像装置１０の第１の表示インタフェース１０１に第１の情報が表示され、画像受信装置２０，２１の第２の表示インタフェース２０３に第２の情報が表示される。これによって、撮像装置１０、または撮像装置１０に電気的に接続されるレンズモジュールと画像受信装置２０，２１との対応関係の確認を容易にすることができる。
【００５８】
本実施形態では、撮像装置１０、または撮像装置１０に電気的に接続されるレンズモジュールと画像受信装置２０，２１との対応関係の、ユーザによる視覚的な確認が容易となる。例えば、ユーザが近付けない場所に撮像装置１０がある場合でも、ユーザが撮像装置１０を視認できれば、ユーザは通信接続を視覚によって確認することができる。画像受信装置２０，２１が待機モードになっている場合、ユーザが撮影用のアプリケーションを起動する前に対応関係の確認を行うことができる。
【００５９】
第２の通信モジュール２０２が、１つの画像受信装置２０（または画像受信装置２１）のみと通信接続を確立可能な撮像装置１０に第１の制御情報を送信し、かつ、撮像装置１０から画像データを受信し、画像受信装置２０（または画像受信装置２１）が１つの撮像装置１０のみと通信接続を確立可能であってもよい。つまり、１台の画像受信装置２０（または画像受信装置２１）が撮像装置１０と通信により接続している間、他の画像受信装置が撮像装置１０と通信により接続できず、かつ、画像受信装置２０（または画像受信装置２１）は、１台の撮像装置１０と通信により接続している間、他の撮像装置と通信により接続できなくてもよい。言い換えると、１台の撮像装置１０に対する画像受信装置２０（または画像受信装置２１）の通信接続が排他的であり、かつ、１台の画像受信装置２０（または画像受信装置２１）に対する撮像装置１０の通信接続が排他的であってもよい。さらに言い換えると、撮像装置１０と画像受信装置２０（または画像受信装置２１）との通信接続は、１対１であってもよい。これによって、撮像システムの制御が簡単となる。
【００６０】
（第２の実施形態）
次に、本発明の第２の実施形態を説明する。図４は、本実施形態による撮像システムの構成例を示している。図４に示す撮像システムは、撮像装置１０ａと、画像受信装置２０ａとを有する。
【００６１】
レンズモジュール３０ａが撮像装置１０ａに電気的に接続されている。撮像装置１０ａにおいて、レンズモジュール３０ａが接続される面とは反対側の面に、マルチカラーによる発光が可能なＬＥＤ１０１ａが配置されている。撮像装置１０ａの曲面状の側面にＬＥＤが設けられていてもよい。ＬＥＤ１０１ａは、図１に示す第１の表示インタフェース１０１に対応する。撮像装置１０ａは、ＬＥＤ１０１ａのほか、図１に示す撮像モジュール１００と、第１の通信モジュール１０２と、表示制御部１０３とを有する。撮像装置１０ａは画像受信装置２０ａに固定されていてもよいし、固定されていなくてもよい。
【００６２】
画像受信装置２０ａはスマートフォン等の携帯端末である。画像受信装置２０ａの表面にはディスプレイ２０３ａが配置されている。ディスプレイ２０３ａの領域２０３０ａには、ＬＥＤ１０１ａが表示する色と同じ色が表示される。例えば、領域２０３０ａは、アプリケーションのタイトルバーである。ディスプレイ２０３ａの領域２０３０ｂには、撮像装置１０ａから受信された画像データに基づく画像が表示される。ディスプレイ２０３ａは、図１に示す第２の表示インタフェース２０３に対応する。つまり、画像受信装置２０ａは、記憶モジュール２００に記憶されている第２の識別情報に対応する第２の情報と、画像データに基づく画像とを表示するディスプレイ２０３ａを有する。画像受信装置２０ａは、ディスプレイ２０３ａのほか、図１に示す記憶モジュール２００と、情報取得部２０１と、第２の通信モジュール２０２と、情報出力部２０４とを有する。
【００６３】
図５は、画像受信装置２０ａの記憶モジュール２００に記憶される第１の識別情報と第２の識別情報との例を示している。第１の識別情報と第２の識別情報とが、１対１に関連付けられた状態で記憶モジュール２００に記憶されている。第１の識別情報と第２の識別情報との一方が特定された場合、関連付けられている他方の情報を特定することが可能である。
【００６４】
図５に示す例では、第１の識別情報は撮像装置のＩＤ（ＳＳＩＤ）である。また、第２の識別情報は、ＲＧＢの各色の明度（明るさ）を指定する色情報である。図５に示す例では、撮像装置のＩＤ（ＡＰ−１１１１）に対して赤（０ｘｆｆ００００）が関連付けられている。また、撮像装置のＩＤ（ＡＰ−２２２２）に対して緑（０ｘ００ｆｆ００）が関連付けられている。また、撮像装置のＩＤ（ＡＰ−３３３３）に対して青（０ｘ００００ｆｆ）が関連付けられている。
【００６５】
本実施形態では、第２の識別情報は、色情報を含む。また、画像受信装置２０ａの第２の通信モジュール２０２は、撮像装置１０ａのＬＥＤ１０１ａに対して、第２の識別情報に含まれる色情報に対応する第１の色を表示させる第１の制御情報を撮像装置１０ａに送信する。また、画像受信装置２０ａの情報出力部２０４は、画像受信装置２０ａのディスプレイ２０３ａに対して、第２の識別情報に含まれる色情報に対応する第２の色を表示させる第２の制御情報をディスプレイ２０３ａに出力する。本実施形態では、第１の色と第２の色とが同一の色であるが、第１の色と第２の色との関連性が事前に示されていれば、第１の色と第２の色とが異なる色であってもよい。
【００６６】
図６は、画像受信装置２０ａの動作の手順の例を示している。図６を参照して、画像受信装置２０ａの動作を説明する。
【００６７】
情報取得部２０１は、撮像装置１０ａを識別する第１の識別情報を撮像装置１０ａから取得する（ステップＳ２００）。例えば、ステップＳ２００では、第２の通信モジュール２０２は、撮像装置１０ａと通信接続を確立するときに撮像装置１０ａから第１の識別情報を受信する。情報取得部２０１は、第２の通信モジュール２０２が撮像装置１０ａから受信した第１の識別情報を第２の通信モジュール２０２から受け取る。撮像装置１０ａの第１の通信モジュール１０２は、画像受信装置２０ａとの通信接続を確立する際に第１の識別情報を画像受信装置２０ａに送信する。
【００６８】
続いて、第２の通信モジュール２０２は、撮像装置１０ａのＬＥＤ１０１ａに対して、ステップＳ２００で取得された第１の識別情報と関連付けられて記憶モジュール２００に記憶されている第２の識別情報に含まれる色情報に対応する色を表示させる第１の制御情報を撮像装置１０ａに送信する（ステップＳ２０５）。例えば、ステップＳ２０５では、情報取得部２０１は、ステップＳ２００で取得された第１の識別情報と同一の第１の識別情報を、記憶モジュール２００に記憶されている第１の識別情報から検索する。ステップＳ２００で取得された第１の識別情報と同一の第１の識別情報が見つかった場合、情報取得部２０１は、その第１の識別情報と関連付けられている第２の識別情報を記憶モジュール２００から取得する。取得された第２の識別情報に対応する第１の制御情報が撮像装置１０ａに送信される。
【００６９】
続いて、情報出力部２０４は、画像受信装置２０ａのディスプレイ２０３ａに対して、ステップＳ２００で取得された第１の識別情報と関連付けられて記憶モジュール２００に記憶されている第２の識別情報に含まれる色情報に対応する色を表示させる第２の制御情報をディスプレイ２０３ａに出力する（ステップＳ２１０）。例えば、ステップＳ２１０では、ステップＳ２０５で取得された第２の識別情報に対応する第２の制御情報がディスプレイ２０３ａに出力される。
【００７０】
続いて、第２の通信モジュール２０２は、撮像装置１０ａから画像データを受信する（ステップＳ２１５）。
【００７１】
撮像装置１０ａのＬＥＤ１０１ａは、画像受信装置２０ａから受信された第１の制御情報に基づいて、第２の識別情報に含まれる色情報に対応する色を表示する。また、画像受信装置２０ａのディスプレイ２０３ａは、第２の制御情報に基づいて、第２の識別情報に含まれる色情報に対応する色を表示する。撮像装置１０ａのＬＥＤ１０１ａと画像受信装置２０ａのディスプレイ２０３ａとが同一の色を表示することによって、撮像装置１０ａと画像受信装置２０ａとの対応関係が識別可能となる。
【００７２】
本実施形態では、撮像装置１０ａのＬＥＤ１０１ａと画像受信装置２０ａのディスプレイ２０３ａとが色を表示するが、表示の形態はこれ以外であってもよい。例えば、撮像装置１０ａの第１の表示インタフェースと画像受信装置２０ａの第２の表示インタフェースとが画像、文字、記号、図形、パターン等を表示してもよい。
【００７３】
本実施形態では、撮像装置１０ａと画像受信装置２０ａとの対応関係の、ユーザによる視覚的な確認が容易となる。また、画像受信装置２０ａにおいて、画像を表示するためのディスプレイ２０３ａによって第２の情報（色）が表示されるため、画像受信装置２０ａにおいて画像表示用に用意されている構成を利用して第２の情報を表示することができる。
【００７４】
（第３の実施形態）
次に、本発明の第３の実施形態を説明する。図７は、本実施形態による撮像システムの構成例を示している。図７に示す撮像システムは、撮像装置１０ｂと、画像受信装置２１ｂと、カバー４０ｂとを有する。
【００７５】
レンズモジュール３０ｂが撮像装置１０ｂに電気的に接続されている。撮像装置１０ｂにおいて、レンズモジュール３０ｂが接続される面とは反対側の面に、マルチカラーによる発光が可能なＬＥＤ１０１ｂが配置されている。ＬＥＤ１０１ｂは、図２に示す第１の表示インタフェース１０１に対応する。撮像装置１０ｂは、ＬＥＤ１０１ｂのほか、図２に示す撮像モジュール１００と、第１の通信モジュール１０２と、表示制御部１０３とを有する。
【００７６】
画像受信装置２１ｂはスマートフォン等の携帯端末である。画像受信装置２１ｂの表面にはディスプレイ２０４ｂが配置されている。ディスプレイ２０４ｂは、撮像装置１０ｂから受信された画像データに基づく画像を表示する。画像受信装置２１ｂの端部には、カバー４０ｂと電気的に接続するための接続部２０５ｂが配置されている。例えば、接続部２０５ｂは、イヤホンジャックまたはデータ同期用の端子である。接続部２０５ｂは、カバー４０ｂと電気的に接続するのではなく、近距離無線通信によってカバー４０ｂと接続してもよい。画像受信装置２１ｂは、ディスプレイ２０４ｂと、接続部２０５ｂとのほか、図２に示す記憶モジュール２００と、情報取得部２０１と、第２の通信モジュール２０２と、情報出力部２０４とを有する。
【００７７】
例えば、カバー４０ｂは、スマートフォンのアクセサリカバーである。カバー４０ｂを画像受信装置２１ｂに接触させて固定することが可能である。カバー４０ｂの端部には、マルチカラーによる発光が可能なＬＥＤ２０３ｂが配置されている。ＬＥＤ２０３ｂは、図２に示す第２の表示インタフェース２０３に対応する。つまり、本実施形態では、画像受信装置２１ｂが、画像データに基づく画像を表示する第３の表示インタフェースであるディスプレイ２０４ｂを有し、画像受信装置２１ｂにＬＥＤ２０３ｂが電気的に接続されている。
【００７８】
画像受信装置２１ｂに電気的に接続される第２の表示インタフェース（本実施形態のＬＥＤ２０３ｂ）が画像受信装置２１ｂに対応して設けられていることを明確にするため、第２の表示インタフェースは画像受信装置２１ｂに接触していることが望ましい。または、第２の表示インタフェースは、画像受信装置２１ｂに接触している部材（本実施形態のカバー４０ｂ）に接触していることが望ましい。
【００７９】
カバー４０ｂにおいて、画像受信装置２１ｂの接続部２０５ｂと対応する位置に制御信号用端子４００ｂが設けられている。接続部２０５ｂから出力された制御信号が制御信号用端子４００ｂに入力される。また、カバー４０ｂの内部には拡張バッテリ４０１ｂが配置されている。拡張バッテリ４０１ｂはＬＥＤ２０３ｂ等に電源を供給する。また、カバー４０ｂの表面にはシャッタボタン４０２ｂが配置されている。ユーザがシャッタボタン４０２ｂを押すと、撮影指示に対応する制御信号が制御信号用端子４００ｂから画像受信装置２１ｂの接続部２０５ｂに出力される。この制御信号が画像受信装置２１ｂの第２の通信モジュール２０２によって撮像装置１０ｂに送信され、撮影が行われる。
【００８０】
画像受信装置２１ｂの動作の手順は、図６に示す手順とほぼ同様であるので、画像受信装置２１ｂの動作の手順についての説明を省略する。
【００８１】
本実施形態では、撮像装置１０ｂのＬＥＤ１０１ｂとカバー４０ｂのＬＥＤ２０３ｂとが色を表示するが、表示の形態はこれ以外であってもよい。例えば、撮像装置１０ｂの第１の表示インタフェースとカバー４０ｂの第２の表示インタフェースとが画像、文字、記号、図形、パターン等を表示してもよい。
【００８２】
本実施形態では、撮像装置１０ｂと画像受信装置２０ｂとの対応関係の、ユーザによる視覚的な確認が容易となる。また、第２の情報（色）を表示するために画像受信装置２１ｂのディスプレイ２０４ｂを使用しなくてよいので、ディスプレイ２０４ｂを画像表示のために有効に利用することができる。
【００８３】
また、カバー４０ｂに配置される第２の表示インタフェースの位置や種類を比較的自由に決めることができる。
【００８４】
＜変形例＞
次に、本実施形態の変形例を説明する。図８は、本変形例による撮像システムの構成例を示している。図８に示す撮像システムは、撮像装置１０ｃと、画像受信装置２１ｃと、カバー４０ｃとを有する。
【００８５】
レンズモジュール３０ｃが撮像装置１０ｃに電気的に接続されている。撮像装置１０ｃにおいて、レンズモジュール３０ｃが接続される面とは反対側の面にディスプレイ１０１ｃが配置されている。ディスプレイ１０１ｃは、図２に示す第１の表示インタフェース１０１に対応する。撮像装置１０ｃは、ディスプレイ１０１ｃのほか、図２に示す撮像モジュール１００と、第１の通信モジュール１０２と、表示制御部１０３とを有する。また、撮像装置１０ｃは、画像データを記憶する記憶モジュールを有する。
【００８６】
画像受信装置２１ｃはスマートフォン等の携帯端末である。画像受信装置２１ｃの表面にはディスプレイ２０４ｃが配置されている。ディスプレイ２０４ｃは、撮像装置１０ｃから受信された画像データに基づく画像を表示する。画像受信装置２１ｃの端部には、カバー４０ｃと電気的に接続するための接続部２０５ｃが配置されている。画像受信装置２１ｃは、ディスプレイ２０４ｃと、接続部２０５ｃとのほか、図２に示す記憶モジュール２００と、情報取得部２０１と、第２の通信モジュール２０２と、情報出力部２０４とを有する。
【００８７】
例えば、カバー４０ｃは、カバー４０ｂと同様の機能を有する、スマートフォンのアクセサリカバーである。カバー４０ｃの端部の一部は、カバー４０ｃが画像受信装置２１ｃに固定されたときに画像受信装置２１ｃと重ならない。そのカバー４０ｃの端部には、ディスプレイ２０３ｃが配置されている。ディスプレイ２０３ｃは、図２に示す第２の表示インタフェース２０３に対応する。つまり、本実施形態では、画像受信装置２１ｃが、画像データに基づく画像を表示する第３の表示インタフェースであるディスプレイ２０４ｃを有し、画像受信装置２１ｃにディスプレイ２０３ｃが電気的に接続されている。
【００８８】
図９は、画像受信装置２１ｃの記憶モジュール２００に記憶される第１の識別情報と第２の識別情報との例を示している。図９に示す例では、第１の識別情報は撮像装置のＩＤ（ＳＳＩＤ）である。また、第２の識別情報は、画像データを示す画像情報である。例えば、画像情報は、画像データのファイル名である。図９に示す例では、撮像装置のＩＤ（ＡＰ−１１１１）に対して画像データ１が関連付けられている。また、撮像装置のＩＤ（ＡＰ−２２２２）に対して画像データ２が関連付けられている。また、撮像装置のＩＤ（ＡＰ−３３３３）に対して画像データ３が関連付けられている。
【００８９】
例えば、撮像装置１０ｃの記憶モジュールには、過去に撮像装置１０ｃによって撮影が行われたときに生成された画像データが記憶されている。また、例えば、画像受信装置２１ｃの第２の通信モジュール２０２は、撮影や画像の閲覧のために撮像装置１０ｃと通信により接続した際に撮像装置１０ｃから画像データを受信する。第２の通信モジュール２０２が受信した画像データは記憶モジュール２００に記憶される。また、第２の通信モジュール２０２が受信した画像データを示す画像情報が、撮像装置１０ｃの第１の識別情報と関連付けられて記憶モジュール２００に記憶される。撮像装置１０ｃの第１の識別情報は、画像データとは別に撮像装置１０ｃから取得されてもよいし、画像データに第１の識別情報が付加されている場合、画像データから取得されてもよい。
【００９０】
画像受信装置２１ｃの第２の通信モジュール２０２は、通信によりネットワークに接続し、ネットワーク上のサーバから画像データを受信してもよい。第２の通信モジュール２０２が受信した画像データは記憶モジュール２００に記憶される。また、第２の通信モジュール２０２が受信した画像データを示す画像情報が、撮像装置１０ｃの第１の識別情報と関連付けられて記憶モジュール２００に記憶される。撮像装置１０ｃの第１の識別情報は、画像データとは別に撮像装置１０ｃから取得されてもよいし、画像データに第１の識別情報が付加されている場合、画像データから取得されてもよい。
【００９１】
本変形例では、第２の識別情報は、画像情報を含む。また、画像受信装置２１ｃの第２の通信モジュール２０２は、撮像装置１０ｃのディスプレイ１０１ｃに対して、第２の識別情報に含まれる画像情報に対応する第１の画像を表示させる第１の制御情報を撮像装置１０ｃに送信する。また、画像受信装置２１ｃの情報出力部２０４は、カバー４０ｃのディスプレイ２０３ｃに対して、第２の識別情報に含まれる画像情報に対応する第２の画像を表示させる第２の制御情報をディスプレイ２０３ｃに出力する。本変形例では、第１の画像と第２の画像とが同一の画像であるが、第１の画像と第２の画像との関連性が事前に示されていれば、第１の画像と第２の画像とが異なる画像であってもよい。
【００９２】
図１０は、画像受信装置２１ｃの動作の手順の例を示している。図１０を参照して、画像受信装置２１ｃの動作を説明する。
【００９３】
情報取得部２０１は、撮像装置１０ｃを識別する第１の識別情報を撮像装置１０ｃから取得する（ステップＳ３００）。
【００９４】
続いて、第２の通信モジュール２０２は、撮像装置１０ｃのディスプレイ１０１ｃに対して、ステップＳ３００で取得された第１の識別情報と関連付けられて記憶モジュール２００に記憶されている第２の識別情報に含まれる画像情報に対応する画像を表示させる第１の制御情報を撮像装置１０ｃに送信する（ステップＳ３０５）。
【００９５】
続いて、情報出力部２０４は、カバー４０ｃのディスプレイ２０３ｃに対して、ステップＳ３００で取得された第１の識別情報と関連付けられて記憶モジュール２００に記憶されている第２の識別情報に含まれる画像情報に対応する画像を表示させる第２の制御情報をディスプレイ２０３ｃに出力する（ステップＳ３１０）。
【００９６】
続いて、第２の通信モジュール２０２は、撮像装置１０ｃから画像データを受信する（ステップＳ３１５）。
【００９７】
撮像装置１０ｃのディスプレイ１０１ｃは、画像受信装置２０ｃから受信された第１の制御情報に基づいて、第２の識別情報に対応する画像を表示する。例えば、画像を表示するための画像データは撮像装置１０ｃの記憶モジュールに記憶されている。また、カバー４０ｃのディスプレイ２０３ｃは、第２の制御情報に基づいて、第２の識別情報に対応する画像を表示する。例えば、画像を表示するための画像データは画像受信装置２０ｃの記憶モジュール２００に記憶されている。この画像データが、接続部２０５ｃを介してカバー４０ｃのディスプレイ２０３ｃに出力される。撮像装置１０ｃのディスプレイ１０１ｃとカバー４０ｃのディスプレイ２０３ｃとが同一の画像を表示することによって、撮像装置１０ｃと画像受信装置２０ｃとの対応関係が識別可能となる。
【００９８】
本変形例では、撮像装置１０ｃのディスプレイ１０１ｃとカバー４０ｃのディスプレイ２０３ｃとが画像を表示するが、表示の形態はこれ以外であってもよい。例えば、撮像装置１０ｃの第１の表示インタフェースと、画像受信装置２１ｃに電気的に接続される第２の表示インタフェースとが色、文字、記号、図形、パターン等を表示してもよい。
【００９９】
（第４の実施形態）
次に、本発明の第４の実施形態を説明する。図１１は、本実施形態による撮像システムの構成例を示している。図１１に示す撮像システムは、撮像装置１０ｄと、画像受信装置２０ｄとを有する。
【０１００】
レンズモジュール３０ｄが撮像装置１０ｄに電気的に接続されている。撮像装置１０ｄにおいて、レンズモジュール３０ｄが接続される面とは反対側の面に、単一色による発光が可能なＬＥＤ１０１ｄが配置されている。ＬＥＤ１０１ｄは、図１に示す第１の表示インタフェース１０１に対応する。撮像装置１０ｄは、ＬＥＤ１０１ｄのほか、図１に示す撮像モジュール１００と、第１の通信モジュール１０２と、表示制御部１０３とを有する。
【０１０１】
画像受信装置２０ｄはスマートフォン等の携帯端末である。画像受信装置２０ｄの表面にはディスプレイ２０４ｄが配置されている。ディスプレイ２０４ｄは、撮像装置１０ｄから受信された画像データに基づく画像を表示する。画像受信装置２０ｄの端部には、単一色による発光が可能なＬＥＤ２０３ｄが配置されている。ＬＥＤ２０３ｄは、図１に示す第２の表示インタフェース２０３に対応する。つまり、画像受信装置２０ｄは、ＬＥＤ２０３ｄと、画像データに基づく画像を表示する第３の表示インタフェースであるディスプレイ２０４ｄとを有する。画像受信装置２０ｄは、ディスプレイ２０４ｄと、ＬＥＤ２０３ｄとのほか、図１に示す記憶モジュール２００と、情報取得部２０１と、第２の通信モジュール２０２と、情報出力部２０４とを有する。
【０１０２】
図１２は、画像受信装置２０ｄの記憶モジュール２００に記憶される第１の識別情報と第２の識別情報との例を示している。図１２に示す例では、第１の識別情報は撮像装置のＩＤ（ＳＳＩＤ）である。また、第２の識別情報は、パターンを識別するパターン情報である。パターンは、所定の情報（点灯していること）を表示する表示期間（点灯期間）と、所定の情報を非表示にする非表示期間（消灯期間）との組合せで識別される。図１２に示す例では、撮像装置のＩＤ（ＡＰ−１１１１）に対して、１秒の表示期間と１秒の非表示期間とが繰り返されるパターンが関連付けられている。また、撮像装置のＩＤ（ＡＰ−２２２２）に対して、２秒の表示期間と２秒の非表示期間とが繰り返されるパターンが関連付けられている。
【０１０３】
本実施形態では、第２の識別情報は、所定の情報を表示する表示期間と、所定の情報を非表示にする非表示期間との組合せが示すパターンを識別するパターン情報を含む。また、画像受信装置２０ｄの第２の通信モジュール２０２は、撮像装置１０ｄとの通信接続が確立された後、撮像装置１０ｄのＬＥＤ１０１ｄに対して、第２の識別情報に含まれるパターン情報に対応する第１のパターンを表示させる第１の制御情報を撮像装置１０ｄに送信する。また、画像受信装置２０ｄの情報出力部２０４は、撮像装置１０ｄとの通信接続が確立された後、画像受信装置２０ｄのＬＥＤ２０３ｄに対して、第２の識別情報に含まれるパターン情報に対応する第２のパターンを表示させる第２の制御情報をＬＥＤ２０３ｄに出力する。本実施形態では、第１のパターンと第２のパターンとが同一のパターンであるが、第１のパターンと第２のパターンとの関連性が事前に示されていれば、第１のパターンと第２のパターンとが異なるパターンであってもよい。
【０１０４】
また、本実施形態では、第２の識別情報は、表示期間を示す第１の時間情報と、非表示期間を示す第２の時間情報とを含む。図１２に示す例では、第１の時間情報は、点灯が継続する時間（１秒または２秒）を示す情報である。図１２に示す例では、第２の時間情報は、消灯が継続する時間（１秒または２秒）を示す情報である。
【０１０５】
また、本実施形態では、情報出力部２０４は、撮像装置１０ｄとの通信接続が確立された後、画像受信装置２０ｄのＬＥＤ２０３ｄに対して、撮像装置１０ｄのＬＥＤ１０１ｄが表示する第１のパターンにおける第１の表示期間と、第２の識別情報に対応する第２のパターンにおける第２の表示期間とが同時に現れる、または順番に現れるように第２のパターンを表示させる第２の制御情報をＬＥＤ１０１ｄに出力する。
【０１０６】
図１３（ａ）と図１３（ｂ）とは、撮像装置１０ｄのＬＥＤ１０１ｄが表示する第１のパターンと、画像受信装置２０ｄのＬＥＤ２０３ｄが表示する第２のパターンとの例を示している。図１３（ａ）と図１３（ｂ）とでは、それぞれのパターンにおける表示期間と非表示期間とのスケジュールが示されている。図１３（ａ）と図１３（ｂ）との右方向が、時間の進む方向である。
【０１０７】
図１３（ａ）では、時刻Ｔ１０で撮像装置１０ｄのＬＥＤ１０１ｄが点灯する。また、時刻Ｔ１０よりも後の時刻Ｔ１１で画像受信装置２０ｄのＬＥＤ２０３ｄが点灯する。撮像装置１０ｄのＬＥＤ１０１ｄは、点灯し続けた後、時刻Ｔ１１よりも後の時刻Ｔ１２で消灯する。画像受信装置２０ｄのＬＥＤ２０３ｄは、点灯し続けた後、時刻Ｔ１２よりも後の時刻Ｔ１３で消灯する。撮像装置１０ｄのＬＥＤ１０１ｄは、消灯し続けた後、時刻Ｔ１３よりも後の時刻Ｔ１４で点灯する。画像受信装置２０ｄのＬＥＤ２０３ｄは、消灯し続けた後、時刻Ｔ１４よりも後の時刻Ｔ１５で消灯する。これ以降、撮像装置１０ｄのＬＥＤ１０１ｄと画像受信装置２０ｄのＬＥＤ２０３ｄとは、点灯と消灯とを交互に（周期的に）繰り返す。
【０１０８】
図１３（ａ）では、時刻Ｔ１１から時刻Ｔ１２までの期間、撮像装置１０ｄのＬＥＤ１０１ｄと画像受信装置２０ｄのＬＥＤ２０３ｄとが同時に点灯する。つまり、撮像装置１０ｄのＬＥＤ１０１ｄが表示する第１のパターンにおける点灯期間（第１の表示期間）と、画像受信装置２０ｄのＬＥＤ２０３ｄが表示する第２のパターンにおける点灯期間（第２の表示期間）とが同時に現れる（それらの点灯期間の少なくとも一部が時間的に重なる）。
【０１０９】
撮像装置１０ｄのＬＥＤ１０１ｄの点灯期間と、画像受信装置２０ｄのＬＥＤ２０３ｄの点灯期間とが同時でなくてもよい（それらの点灯期間が時間的に全く重ならなくてもよい）。図１３（ｂ）では、時刻Ｔ２０で撮像装置１０ｄのＬＥＤ１０１ｄが点灯する。撮像装置１０ｄのＬＥＤ１０１ｄは、点灯し続けた後、時刻Ｔ２０よりも後の時刻Ｔ２１で消灯する。また、時刻Ｔ２１よりも後の時刻Ｔ２２で画像受信装置２０ｄのＬＥＤ２０３ｄが点灯する。画像受信装置２０ｄのＬＥＤ２０３ｄは、点灯し続けた後、時刻Ｔ２２よりも後の時刻Ｔ２３で消灯する。
【０１１０】
撮像装置１０ｄのＬＥＤ１０１ｄは、消灯し続けた後、時刻Ｔ２３よりも後の時刻Ｔ２４で点灯する。撮像装置１０ｄのＬＥＤ１０１ｄは、点灯し続けた後、時刻Ｔ２４よりも後の時刻Ｔ２５で消灯する。画像受信装置２０ｄのＬＥＤ２０３ｄは、消灯し続けた後、時刻Ｔ２５よりも後の時刻Ｔ２６で消灯する。これ以降、撮像装置１０ｄのＬＥＤ１０１ｄと画像受信装置２０ｄのＬＥＤ２０３ｄとは、点灯と消灯とを交互に（周期的に）繰り返す。
【０１１１】
図１３（ｂ）では、撮像装置１０ｄのＬＥＤ１０１ｄと画像受信装置２０ｄのＬＥＤ２０３ｄとが同時に点灯する期間はない。つまり、撮像装置１０ｄのＬＥＤ１０１ｄが表示する第１のパターンにおける点灯期間（第１の表示期間）と、画像受信装置２０ｄのＬＥＤ２０３ｄが表示する第２のパターンにおける点灯期間（第２の表示期間）とが順番に（交互に）現れる。
【０１１２】
図１４は、画像受信装置２０ｄの動作の手順の例を示している。図１４を参照して、画像受信装置２０ｄの動作を説明する。
【０１１３】
情報取得部２０１は、撮像装置１０ｄを識別する第１の識別情報を撮像装置１０ｄから取得する（ステップＳ４００）。
【０１１４】
続いて、第２の通信モジュール２０２は、撮像装置１０ｄのＬＥＤ１０１ｄに対して、ステップＳ４００で取得された第１の識別情報と関連付けられて記憶モジュール２００に記憶されている第２の識別情報に含まれるパターン情報に対応するパターンを表示させる第１の制御情報を撮像装置１０ｄに送信する（ステップＳ４０５）。
【０１１５】
続いて、情報出力部２０４は、画像受信装置２０ｄのＬＥＤ２０３ｄに対して、ステップＳ４００で取得された第１の識別情報と関連付けられて記憶モジュール２００に記憶されている第２の識別情報に含まれるパターン情報に対応するパターンを表示させる第２の制御情報をＬＥＤ２０３ｄに出力する（ステップＳ４１０）。
【０１１６】
続いて、第２の通信モジュール２０２は、撮像装置１０ｄから画像データを受信する（ステップＳ４１５）。
【０１１７】
撮像装置１０ｄのＬＥＤ１０１ｄは、画像受信装置２０ｄから受信された第１の制御情報に基づいて、第２の識別情報に含まれるパターン情報に対応するパターンを表示する。また、画像受信装置２０ｄのＬＥＤ２０３ｄは、第２の制御情報に基づいて、第２の識別情報に含まれるパターン情報に対応するパターンを表示する。撮像装置１０ｄのＬＥＤ１０１ｄと画像受信装置２０ｄのＬＥＤ２０３ｄとが同一のパターンを表示することによって、撮像装置１０ｄと画像受信装置２０ｄとの対応関係が識別可能となる。
【０１１８】
本実施形態では、撮像装置１０ｄのＬＥＤ１０１ｄと画像受信装置２０ｄのＬＥＤ２０３ｄとがパターンを表示するが、表示の形態はこれ以外であってもよい。例えば、撮像装置１０ｄの第１の表示インタフェースと画像受信装置２０ｄの第２の表示インタフェースとが色、画像、文字、記号、図形等を表示してもよい。
【０１１９】
本実施形態では、撮像装置１０ｄと画像受信装置２０ｄとの対応関係の、ユーザによる視覚的な確認が容易となる。また、第２の情報（パターン）を表示するために画像受信装置２０ｄのディスプレイ２０４ｄを使用しなくてよいので、ディスプレイ２０４ｄを画像表示のために有効に利用することができる。
【０１２０】
また、撮像装置１０ｄのＬＥＤ１０１ｄと画像受信装置２０ｄのＬＥＤ２０３ｄとが表示する色が単一色でよいので、ＬＥＤのコストを低減することができる。
【０１２１】
（第５の実施形態）
次に、本発明の第５の実施形態を説明する。本実施形態では、図８に示す撮像システムの構成を用いた例を説明する。
【０１２２】
本実施形態では、画像受信装置２０ｃの記憶モジュール２００は、撮像装置１０ｃに電気的に接続されるレンズモジュール３０ｃを識別する第１の識別情報と、第２の識別情報とを関連付けて記憶する。図１５は、画像受信装置２０ｃの記憶モジュール２００に記憶される第１の識別情報と第２の識別情報との例を示している。図１５に示す例では、第１の識別情報はレンズモジュールのＩＤである。また、第２の識別情報は、画像データを示す画像情報である。図１５に示す例では、レンズモジュールのＩＤ（レンズモジュール１）に対して画像データ１が関連付けられている。また、レンズモジュールのＩＤ（レンズモジュール２）に対して画像データ２が関連付けられている。また、レンズモジュールのＩＤ（レンズモジュール３）に対して画像データ３が関連付けられている。
【０１２３】
例えば、撮像装置１０ｃの記憶モジュールには、過去に撮像装置１０ｃによって撮影が行われたときに生成された画像データが記憶されている。また、例えば、画像受信装置２１ｃの第２の通信モジュール２０２は、撮影や画像の閲覧のために撮像装置１０ｃと通信により接続した際に撮像装置１０ｃから画像データを受信する。第２の通信モジュール２０２が受信した画像データは記憶モジュール２００に記憶される。また、第２の通信モジュール２０２が受信した画像データを示す画像情報が、レンズモジュール３０ｃの第１の識別情報と関連付けられて記憶モジュール２００に記憶される。レンズモジュール３０ｃの第１の識別情報は、画像データとは別に撮像装置１０ｃから取得されてもよいし、画像データに第１の識別情報が付加されている場合、画像データから取得されてもよい。
【０１２４】
画像受信装置２１ｃの第２の通信モジュール２０２は、通信によりネットワークに接続し、ネットワーク上のサーバから画像データを受信してもよい。第２の通信モジュール２０２が受信した画像データは記憶モジュール２００に記憶される。また、第２の通信モジュール２０２が受信した画像データを示す画像情報が、レンズモジュール３０ｃの第１の識別情報と関連付けられて記憶モジュール２００に記憶される。レンズモジュール３０ｃの第１の識別情報は、画像データとは別に撮像装置１０ｃから取得されてもよいし、画像データに第１の識別情報が付加されている場合、画像データから取得されてもよい。
【０１２５】
図１６は、画像受信装置２１ｃの動作の手順の例を示している。図１６を参照して、画像受信装置２１ｃの動作を説明する。
【０１２６】
情報取得部２０１は、撮像装置１０ｃに電気的に接続されるレンズモジュールを識別する第１の識別情報を撮像装置１０ｃから取得する（ステップＳ５００）。例えば、撮像装置１０ｃは、レンズモジュールが電気的に接続されたときレンズモジュールの種類を識別して第１の識別情報を生成する情報生成部を有する。例えば、ステップＳ５００では、情報取得部２０１は、第２の通信モジュール２０２を介して撮像装置１０ｃから第１の識別情報を受信することによって、第１の識別情報を取得する。撮像装置１０ｃの第１の通信モジュール１０２は、画像受信装置２０ｃとの通信接続を確立する際に第１の識別情報を画像受信装置２０ｃに送信する。
【０１２７】
ステップＳ５０５〜Ｓ５１５の処理は図１０のステップＳ３０５〜Ｓ３１５の処理と同一であるので、ステップＳ５０５〜Ｓ５１５の処理についての説明を省略する。
【０１２８】
撮像装置１０ｃのディスプレイ１０１ｃは、画像受信装置２０ｃから受信された第１の制御情報に基づいて、第２の識別情報に対応する画像を表示する。また、カバー４０ｃのディスプレイ２０３ｃは、第２の制御情報に基づいて、第２の識別情報に対応する画像を表示する。撮像装置１０ｃのディスプレイ１０１ｃとカバー４０ｃのディスプレイ２０３ｃとが同一の画像を表示することによって、撮像装置１０ｃに電気的に接続されるレンズモジュール３０ｃと画像受信装置２０ｃとの対応関係が識別可能となる。
【０１２９】
画像受信装置２０ｃは、撮像装置１０ｃに電気的に接続されているレンズモジュール３０ｃが交換されたか否かを判定する判定部を有していてもよい。例えば、情報取得部２０１は撮像装置１０ｃから繰り返し第１の識別情報を取得する。判定部は、今回取得された第１の識別情報と、前回取得された第１の識別情報とを比較することによって、レンズモジュール３０ｃが交換されたか否かを判定する。具体的には、判定部は、今回取得された第１の識別情報と、前回取得された第１の識別情報とが同一でない場合、レンズモジュール３０ｃが交換されたと判定する。レンズモジュール３０ｃが交換されたと判定された場合、ステップＳ５００〜Ｓ５１０の処理が再度行われる。
【０１３０】
本実施形態では、撮像装置１０ｃのディスプレイ１０１ｃとカバー４０ｃのディスプレイ２０３ｃとが画像を表示するが、表示の形態はこれ以外であってもよい。例えば、撮像装置１０ｃの第１の表示インタフェースと、画像受信装置２１ｃに電気的に接続される第２の表示インタフェースとが色、文字、記号、図形、パターン等を表示してもよい。
【０１３１】
本実施形態と同様の方法により、図４、図７、図１１のそれぞれに示す撮像システムにおいて、撮像装置に電気的に接続されるレンズモジュールと画像受信装置との対応関係を識別可能にしてもよい。
【０１３２】
本実施形態では、撮像装置１０ｃに電気的に接続されるレンズモジュール３０ｃと画像受信装置２０ｃとの対応関係の、ユーザによる視覚的な確認が容易となる。特に、似たような形状のレンズモジュールが複数ある場合に、それぞれのレンズモジュールの識別が容易となる。したがって、ユーザが使用することを意図していないレンズモジュールが撮像装置に電気的に接続されて撮影が行われることを防止することができる。
【０１３３】
＜変形例＞
次に、本実施形態の変形例を説明する。本変形例では、図８に示す撮像システムの構成を用いた例を説明する。
【０１３４】
本変形例では、画像受信装置２０ｃの記憶モジュール２００は、撮像装置１０ｃと、撮像装置１０ｃに電気的に接続されるレンズモジュール３０ｃとの組合せを識別する第１の識別情報と、第２の識別情報とを関連付けて記憶する。図１７（ａ）と図１７（ｂ）と図１７（ｃ）とは、画像受信装置２０ｃの記憶モジュール２００に記憶される第１の識別情報と第２の識別情報との例を示している。図１７（ａ）に示す例では、第１の識別情報は撮像装置１０ｃのＩＤ（ＳＳＩＤ）とレンズモジュールのＩＤとの組合せである。また、第２の識別情報は、画像データを示す画像情報である。図１７（ａ）に示す例では、撮像装置のＩＤ（ＡＰ−１１１１）とレンズモジュールのＩＤ（レンズモジュール１）との組合せに対して画像データ１が関連付けられている。また、撮像装置のＩＤ（ＡＰ−２２２２）とレンズモジュールのＩＤ（レンズモジュール２）との組合せに対して画像データ２が関連付けられている。また、撮像装置のＩＤ（ＡＰ−３３３３）とレンズモジュールのＩＤ（レンズモジュール３）との組合せに対して画像データ３が関連付けられている。
【０１３５】
図１７（ｂ）に示すように、同一の撮像装置のＩＤ（ＡＰ−１１１１）に対して、複数の異なるレンズモジュールのＩＤ（レンズモジュール１、レンズモジュール２、レンズモジュール３）が関連付けられていてもよい。また、図１７（ｃ）に示すように、異なる複数の撮像装置のＩＤ（ＡＰ−１１１１，ＡＰ−２２２２，ＡＰ−３３３３）に対して、同一のレンズモジュールのＩＤ（レンズモジュール１）が関連付けられていてもよい。
【０１３６】
例えば、撮像装置１０ｃの記憶モジュールには、過去に撮像装置１０ｃによって撮影が行われたときに生成された画像データが記憶されている。また、例えば、画像受信装置２１ｃの第２の通信モジュール２０２は、撮影や画像の閲覧のために撮像装置１０ｃと通信により接続した際に撮像装置１０ｃから画像データを受信する。第２の通信モジュール２０２が受信した画像データは記憶モジュール２００に記憶される。また、第２の通信モジュール２０２が受信した画像データを示す画像情報が、撮像装置１０ｃとレンズモジュール３０ｃとの第１の識別情報と関連付けられて記憶モジュール２００に記憶される。撮像装置１０ｃとレンズモジュール３０ｃとの第１の識別情報は、画像データとは別に撮像装置１０ｃから取得されてもよいし、画像データに第１の識別情報が付加されている場合、画像データから取得されてもよい。
【０１３７】
画像受信装置２１ｃの第２の通信モジュール２０２は、通信によりネットワークに接続し、ネットワーク上のサーバから画像データを受信してもよい。第２の通信モジュール２０２が受信した画像データは記憶モジュール２００に記憶される。また、第２の通信モジュール２０２が受信した画像データを示す画像情報が、撮像装置１０ｃとレンズモジュール３０ｃとの第１の識別情報と関連付けられて記憶モジュール２００に記憶される。撮像装置１０ｃとレンズモジュール３０ｃとの第１の識別情報は、画像データとは別に撮像装置１０ｃから取得されてもよいし、画像データに第１の識別情報が付加されている場合、画像データから取得されてもよい。
【０１３８】
図１８は、画像受信装置２１ｃの動作の手順の例を示している。図１８を参照して、画像受信装置２１ｃの動作を説明する。
【０１３９】
情報取得部２０１は、撮像装置１０ｃと、撮像装置１０ｃに電気的に接続されるレンズモジュール３０ｃとを識別する第１の識別情報を撮像装置１０ｃから取得する（ステップＳ６００）。例えば、撮像装置１０ｃは、レンズモジュールが電気的に接続されたときレンズモジュールの種類を識別し、自身の情報と、識別したレンズモジュールの情報とに基づいて第１の識別情報を生成する情報生成部を有する。例えば、ステップＳ６００では、情報取得部２０１は、第２の通信モジュール２０２を介して撮像装置１０ｃから第１の識別情報を受信することによって、第１の識別情報を取得する。撮像装置１０ｃの第１の通信モジュール１０２は、画像受信装置２０ｃとの通信接続を確立する際に第１の識別情報を画像受信装置２０ｃに送信する。
【０１４０】
ステップＳ６０５〜Ｓ６１５の処理は図１０のステップＳ３０５〜Ｓ３１５の処理と同一であるので、ステップＳ６０５〜Ｓ６１５の処理についての説明を省略する。
【０１４１】
撮像装置１０ｃのディスプレイ１０１ｃは、画像受信装置２０ｃから受信された第１の制御情報に基づいて、第２の識別情報に対応する画像を表示する。また、カバー４０ｃのディスプレイ２０３ｃは、第２の制御情報に基づいて、第２の識別情報に対応する画像を表示する。撮像装置１０ｃのディスプレイ１０１ｃとカバー４０ｃのディスプレイ２０３ｃとが同一の画像を表示することによって、撮像装置１０ｃと、撮像装置１０ｃに電気的に接続されるレンズモジュール３０ｃと、画像受信装置２０ｃとの対応関係が識別可能となる。
【０１４２】
本変形例では、画像受信装置２０ｃは、撮像装置１０ｃに電気的に接続されているレンズモジュール３０ｃが交換されたか否かを判定する判定部を有していてもよい。判定方法は、前述した判定方法と同一でよい。
【０１４３】
本変形例では、撮像装置１０ｃのディスプレイ１０１ｃとカバー４０ｃのディスプレイ２０３ｃとが画像を表示するが、表示の形態はこれ以外であってもよい。例えば、撮像装置１０ｃの第１の表示インタフェースと、画像受信装置２１ｃに電気的に接続される第２の表示インタフェースとが色、文字、記号、図形、パターン等を表示してもよい。
【０１４４】
本変形例と同様の方法により、図４、図７、図１１のそれぞれに示す撮像システムにおいて、撮像装置と、撮像装置に電気的に接続されるレンズモジュールと、画像受信装置との対応関係を識別可能にしてもよい。
【０１４５】
本変形例では、撮像装置１０ｃと、撮像装置１０ｃに電気的に接続されるレンズモジュール３０ｃと、画像受信装置２０ｃとの対応関係の、ユーザによる視覚的な確認が容易となる。
【０１４６】
（第６の実施形態）
次に、本発明の第６の実施形態を説明する。本実施形態では、図４に示す撮像システムの構成を用いた例を説明する。本実施形態では、撮像装置１０ａは、画像データを記憶する記憶モジュールを有する。
【０１４７】
本実施形態では、撮像装置１０ａは、複数の動作モードを備える。記憶モジュール２００は、撮像装置１０ａの動作モード毎に、第２の識別情報を記憶する。画像受信装置２０ａの第２の通信モジュール２０２は、撮像装置１０ａのＬＥＤ１０１ａに対して、第１の情報を、撮像装置１０ａの動作モードに応じて表示させる第１の制御情報を撮像装置１０ａに送信する。また、画像受信装置２０ａの情報出力部２０４は、画像受信装置２０ａのディスプレイ２０３ａに対して、第２の情報を、撮像装置１０ａの動作モードに応じて表示させる第２の制御情報をディスプレイ２０３ａに出力する。
【０１４８】
図１９（ａ）と図１９（ｂ）とは、画像受信装置２０ａの記憶モジュール２００に記憶される第１の識別情報と第２の識別情報との例を示している。第１の識別情報と、撮像装置の動作モードと、第２の識別情報とが、互いに関連付けられた状態で記憶モジュール２００に記憶されている。図１９（ａ）と図１９（ｂ）とに示す例では、第１の識別情報は撮像装置のＩＤ（ＳＳＩＤ）である。また、撮像装置の動作モードは、撮影モードまたは閲覧モードである。
【０１４９】
撮影モードは、撮像装置１０ａが生成した画像データを画像受信装置２０ａがリアルタイムに受信するモードである。閲覧モードは、過去に撮像装置１０ａで撮影が行われたときに撮像装置１０ａの記憶モジュールに記憶された画像データを画像受信装置２０ａが受信するモードである。撮影モードと閲覧モードとのいずれにおいても、撮像装置１０ａから受信された画像データに基づいて画像が表示されてもよい。撮影モードと閲覧モードとは、撮像装置１０ａに排他的に設定される。
【０１５０】
図１９（ａ）と図１９（ｂ）とに示す例では、第２の識別情報は、ＲＧＢの各色の明度（明るさ）を指定する色情報と、パターンを識別するパターン情報との組合せである。また、パターン情報は点滅または点灯である。
【０１５１】
図１９（ａ）に示す例では、撮像装置のＩＤ（ＡＰ−１１１１）に対して赤（０ｘｆｆ００００）が関連付けられている。また、撮像装置のＩＤ（ＡＰ−２２２２）に対して緑（０ｘ００ｆｆ００）が関連付けられている。いずれの撮像装置の場合でも、撮影モードに対して、パターン情報として点滅が関連付けられ、閲覧モードに対して、パターン情報として点灯が関連付けられている。
【０１５２】
図２０は、画像受信装置２０ａの動作の手順の例を示している。図２０を参照して、画像受信装置２０ａの動作を説明する。
【０１５３】
情報取得部２０１は、撮像装置１０ａを識別する第１の識別情報を撮像装置１０ａから取得する（ステップＳ７００）。
【０１５４】
続いて、第２の通信モジュール２０２は、撮像装置１０ａのＬＥＤ１０１ａに対して、ステップＳ７００で取得された第１の識別情報と関連付けられて記憶モジュール２００に記憶されている第２の識別情報に含まれるパターン情報に対応するパターンを、撮像装置１０ａの動作モードに応じた第１の表示形態で表示させる第１の制御情報を撮像装置１０ａに送信する（ステップＳ７０５）。
【０１５５】
続いて、情報出力部２０４は、画像受信装置２０ａのディスプレイ２０３ａに対して、ステップＳ７００で取得された第１の識別情報と関連付けられて記憶モジュール２００に記憶されている第２の識別情報に含まれるパターン情報に対応するパターンを、撮像装置１０ａの動作モードに応じた第２の表示形態で表示させる第２の制御情報をディスプレイ２０３ａに出力する（ステップＳ７１０）。
【０１５６】
続いて、第２の通信モジュール２０２は、撮像装置１０ａから画像データを受信する（ステップＳ７１５）。例えば、ステップＳ７１５では、撮像装置１０ａは撮影モードまたは閲覧モードで動作している。例えば、ステップＳ７１５では、構図を決定するためのライブビュー画像（動画像）を表示するための画像データ、または、過去の撮影時に撮像装置１０ａで生成された画像データである。
【０１５７】
例えば、画像受信装置２０ａが撮像装置１０ａのリモート制御が可能な場合、画像受信装置２０ａは、撮像装置１０ａの動作モードを初期設定するときや切り替えるとき、撮像装置１０ａに動作モードの設定コマンドを送信すると共に、設定される動作モードの情報を記憶モジュール２００に記憶する。例えば、情報取得部２０１は、この動作モードの情報を参照し、ステップＳ７００で取得された撮像装置１０ａの第１の識別情報と、現在の撮像装置１０ａの動作モードとの組合せに対応する第２の識別情報と表示形態の情報とを記憶モジュール２００から取得する。取得された第２の識別情報と表示形態の情報とに基づいて第１の制御情報が生成され、ステップＳ７０５で撮像装置１０ａに送信される。また、取得された第２の識別情報と表示形態の情報とに基づいて第２の制御情報が生成され、ステップＳ７１０でディスプレイ２０３ａに出力される。
【０１５８】
撮像装置１０ａのＬＥＤ１０１ａは、画像受信装置２０ａから受信された第１の制御情報に基づいて、第２の識別情報に含まれる色情報に対応する色を、撮像装置１０ａの動作モードに応じた第１の表示形態で表示する。また、画像受信装置２０ａのディスプレイ２０３ａは、第２の制御情報に基づいて、第２の識別情報に含まれる色情報に対応する色を、撮像装置１０ａの動作モードに応じた第２の表示形態で表示する。例えば、撮像装置１０ａの動作モードが撮影モードである場合、撮像装置１０ａのＬＥＤ１０１ａと画像受信装置２０ａのディスプレイ２０３ａとが同一の色を点滅する。また、撮像装置１０ａの動作モードが閲覧モードである場合、撮像装置１０ａのＬＥＤ１０１ａと画像受信装置２０ａのディスプレイ２０３ａとが同一の色を点灯し続ける。
【０１５９】
撮像装置１０ａのＬＥＤ１０１ａと画像受信装置２０ａのディスプレイ２０３ａとが同一の色を表示することによって、撮像装置１０ａと画像受信装置２０ａとの対応関係が識別可能となる。また、撮像装置１０ａのＬＥＤ１０１ａと画像受信装置２０ａのディスプレイ２０３ａとが表示する色の表示形態が、撮像装置１０ａの動作モードに応じて変化することによって、撮像装置１０ａの動作モードが識別可能となる。
【０１６０】
本実施形態では、撮像装置１０ａの動作モード毎にパターン情報が異なっているが、撮像装置１０ａの動作モード毎に色情報が異なっていてもよい。例えば、撮影モードと閲覧モードとで異なる色情報を用いると共に、動作モードにかかわらず同一の撮像装置１０ａに同一のパターン情報を用いてもよい。
【０１６１】
図１９（ｂ）に示す例では、撮像装置のＩＤ（ＡＰ−１１１１）に対して、パターン情報として点滅が関連付けられている。また、撮像装置のＩＤ（ＡＰ−２２２２）に対して、パターン情報として点灯が関連付けられている。いずれの撮像装置の場合でも、撮影モードに対して、色情報として赤（０ｘｆｆ００００）が関連付けられ、閲覧モードに対して、色情報として緑（０ｘ００ｆｆ００）が関連付けられている。
【０１６２】
例えば、撮像装置１０ａの動作モードが撮影モードである場合、撮像装置１０ａのＬＥＤ１０１ａと画像受信装置２０ａのディスプレイ２０３ａとが第１の色を表示する。また、撮像装置１０ａの動作モードが閲覧モードである場合、撮像装置１０ａのＬＥＤ１０１ａと画像受信装置２０ａのディスプレイ２０３ａとが、第１の色と異なる第２の色を表示する。例えば、第１の撮像装置と画像受信装置２０ａとの組合せでは第１の色または第２の色が点滅し、第１の撮像装置と異なる第２の撮像装置と画像受信装置２０ａとの組合せでは第１の色または第２の色が点灯する。
【０１６３】
本実施形態では、撮像装置１０ａのＬＥＤ１０１ａと画像受信装置２０ａのディスプレイ２０３ａとが色を表示するが、表示の形態はこれ以外であってもよい。例えば、撮像装置１０ａの第１の表示インタフェースと画像受信装置２０ａの第２の表示インタフェースとが画像、文字、記号、図形、パターン等を表示してもよい。
【０１６４】
本実施形態では、画像受信装置２０ａが第２の表示インタフェース２０３（ディスプレイ２０３ａ）を有しているが、図２に示す撮像システムと同様に、画像受信装置２０ａが第２の表示インタフェース２０３を有しておらず、第２の表示インタフェース２０３が画像受信装置２０ａに電気的に接続されてもよい。
【０１６５】
本実施形態では、第１の識別情報は撮像装置１０ａを識別する情報であるが、第１の識別情報が撮像装置１０ａに電気的に接続されるレンズモジュールを識別する情報であってもよい。
【０１６６】
本実施形態では、撮像装置１０ａと画像受信装置２０ａとの対応関係の、ユーザによる視覚的な確認が容易となる。また、撮像装置１０ａの動作モードの、ユーザによる視覚的な確認が容易となる。例えば、ユーザは、撮像装置１０ａが所望の動作モードで動作しているか否かを確認することができる。また、例えば、撮像装置１０ａが撮影モードで動作しているときに、点滅による表示が行われることによって、撮像装置１０ａの周囲の第三者が、撮影が行われていることを知ることができる。
【０１６７】
（第７の実施形態）
次に、本発明の第７の実施形態を説明する。図２１は、本実施形態による撮像システムの構成例を示している。図２１に示す撮像システムは、撮像装置１０と、画像受信装置２２とを有する。図２１では１台の撮像装置１０と１台の画像受信装置２２とが示されているが、撮像システムが２台以上の撮像装置１０または２台以上の画像受信装置２２を有していてもよい。撮像装置１０の構成については、既に説明したので、説明を省略する。
【０１６８】
画像受信装置２２は、記憶モジュール２００と、情報取得部２０１と、第２の通信モジュール２０２と、情報出力部２０４と、設定部２０６とを有する。既に説明した構成については説明を省略する。設定部２０６は、第１の識別情報と関連付けられて記憶モジュール２００に記憶されている第２の識別情報と異なる第２の識別情報と、情報取得部２０１によって取得された第１の識別情報とを関連付けて記憶モジュール２００に記憶させる。
【０１６９】
本実施形態では、情報出力部２０４は、第２の表示インタフェース２０３に対して、第１の識別情報と関連付けられて記憶モジュール２００に記憶されている第２の識別情報と異なる複数の第２の識別情報を含む設定画面を表示させるための設定画面情報を第２の表示インタフェース２０３に出力する。設定部２０６は、第２の表示インタフェース２０３が設定画面を表示した後、設定画面に表示された複数の第２の識別情報のいずれかを選択する選択指示に基づいて第２の識別情報を選択し、選択した第２の識別情報を、情報取得部２０１によって取得された第１の識別情報と関連付けて記憶モジュール２００に記憶させる。
【０１７０】
本実施形態では、撮像装置１０が、第１の表示インタフェース１０１として、マルチカラーによる発光が可能なＬＥＤを有する例を説明する。また、本実施形態では、画像受信装置２２が、第２の表示インタフェース２０３としてディスプレイを有する例を説明する。撮像装置１０のＬＥＤと画像受信装置２２のディスプレイとが同一の色を表示することによって、撮像装置１０と画像受信装置２２との対応関係が識別される。
【０１７１】
図２２は、画像受信装置２２の動作の手順の例を示している。図２２を参照して、画像受信装置２２の動作を説明する。
【０１７２】
情報取得部２０１は、撮像装置１０を識別する第１の識別情報を撮像装置１０から取得する（ステップＳ８００）。
【０１７３】
続いて、情報出力部２０４は、第２の表示インタフェース２０３に対して、第１の識別情報と関連付けられて記憶モジュール２００に記憶されている第２の識別情報と異なる複数の第２の識別情報を含む設定画面を表示させるための設定画面情報を第２の表示インタフェース２０３に出力する（ステップＳ８０５）。
【０１７４】
続いて、第２の表示インタフェース２０３は、設定画面情報に基づいて設定画面を表示する（ステップＳ８１０）。
【０１７５】
図２３は、第２の表示インタフェース２０３に表示される設定画面の例を示している。設定画面には、撮像装置１０が使用可能な色を示す複数の第２の識別情報が表示される。それぞれの第２の識別情報は、選択可能か否かを示す情報と関連付けられて表示される。撮像装置１０で使用可能な第２の識別情報が、他の撮像装置１０の第１の識別情報と関連付けられて記憶モジュール２００に記憶されていない場合、選択可能であることを示す情報が表示される。また、撮像装置１０で使用可能な第２の識別情報が、他の撮像装置１０の第１の識別情報と関連付けられて記憶モジュール２００に記憶されている場合、選択不可であることを示す情報が表示される。図２３では、選択可能な第２の識別情報とともに、選択できない第２の識別情報が設定画面に表示されているが、選択可能な第２の識別情報のみが設定画面に表示されてもよい。
【０１７６】
例えば、撮像装置１０は、自身の使用可能な色を示す第２の識別情報を記憶する記憶モジュールを有する。第２の通信モジュール２０２は、撮像装置１０と通信接続を確立するときに撮像装置１０から、撮像装置１０の記憶モジュールに記憶されている第２の識別情報を受信する。ステップＳ８００では、情報取得部２０１は、第２の通信モジュール２０２が撮像装置１０から受信した第２の識別情報を第２の通信モジュール２０２から受け取る。
【０１７７】
情報出力部２０４は、情報取得部２０１によって取得された第２の識別情報と、第１の識別情報に関連付けられて記憶モジュール２００に記憶されている第２の識別情報とを比較する。情報取得部２０１によって取得された第２の識別情報が、第１の識別情報に関連付けられて記憶モジュール２００に記憶されているどの第２の識別情報とも一致しなかった場合、情報出力部２０４は、情報取得部２０１によって取得された第２の識別情報と、設定可能であることを示す情報とを関連付ける。また、情報取得部２０１によって取得された第２の識別情報が、第１の識別情報に関連付けられて記憶モジュール２００に記憶されているいずれかの第２の識別情報と一致した場合、情報出力部２０４は、情報取得部２０１によって取得された第２の識別情報と、設定不可であることを示す情報とを関連付ける。ステップＳ８０５では、情報出力部２０４は、第２の表示インタフェース２０３に対して、第２の識別情報と、設定可能または設定不可であることを示す情報とを関連付けて設定画面に表示させるための設定画面情報を第２の表示インタフェース２０３に出力する。
【０１７８】
設定画面が表示された後、設定部２０６は、設定画面に表示された複数の第２の識別情報のいずれかを選択する選択指示に基づいて第２の識別情報を選択し、選択した第２の識別情報を、情報取得部２０１によって取得された第１の識別情報と関連付けて記憶モジュール２００に記憶させる（ステップＳ８１５）。例えば、ユーザは、設定画面に表示された第２の識別情報のいずれかを選択する選択指示を画像受信装置２２に入力する。選択指示は、ユーザが希望する第２の識別情報を指定する情報を含む。設定不可であることを示す情報と関連付けられている第２の識別情報の指定は禁止される。ステップＳ８１５では、設定部２０６は、選択指示が指定する第２の識別情報を選択する。
【０１７９】
第２の識別情報が記憶モジュール２００に記憶された後、ステップＳ８２０〜Ｓ８３０の処理が行われる。ステップＳ８２０〜Ｓ８３０の処理は図６のステップＳ２０５〜Ｓ２１５の処理と同一であるので、ステップＳ８２０〜Ｓ８３０の処理についての説明を省略する。
【０１８０】
設定画面に表示される第２の識別情報は色情報以外であってもよい。例えば、画像、文字、記号、図形、パターン等に関する第２の識別情報が設定画面に表示されてもよい。
【０１８１】
本実施形態では、画像受信装置２２が第２の表示インタフェース２０３を有しているが、図２に示す撮像システムと同様に、画像受信装置２２が第２の表示インタフェース２０３を有しておらず、第２の表示インタフェース２０３が画像受信装置２２に電気的に接続されてもよい。
【０１８２】
本実施形態では、第１の識別情報は撮像装置１０を識別する情報であるが、第１の識別情報が撮像装置１０に電気的に接続されるレンズモジュールを識別する情報であってもよい。
【０１８３】
本実施形態では、撮像装置１０と画像受信装置２２との対応関係の、ユーザによる視覚的な確認が容易となる。また、過去に画像受信装置２２が通信により接続したことのない新しい撮像装置１０に第２の識別情報を割り当てることができる。つまり、画像受信装置２２の記憶モジュール２００が、画像受信装置２２が通信により接続し得る全ての撮像装置１０に対応する第２の識別情報を記憶している必要はない。このため、第２の識別情報の記憶のために必要な記憶容量を低減することができる。
【０１８４】
また、撮像装置１０に割り当てられる第２の識別情報が重複しないようにすることによって、異なる撮像装置１０を確実に識別する第２の識別情報を設定することができる。また、第２の識別情報を含む設定画面を表示し、設定画面に表示された第２の識別情報から選択された第２の識別情報を撮像装置１０に割り当てることによって、ユーザが第２の識別情報を選択することができる。
【０１８５】
（第８の実施形態）
次に、本発明の第８の実施形態を説明する。本実施形態では、図４に示す撮像システムの構成を用いた例を説明する。本実施形態では、撮像装置１０ａとレンズモジュール３０ａとがセットで使用される例を説明する。つまり、撮像装置１０ａとレンズモジュール３０ａとの電気的な接続の対応関係は予め識別されている。
【０１８６】
本実施形態では複数の撮像装置１０ａが使用され、１台の画像受信装置２０ａが複数の撮像装置１０ａに同時に通信により接続する。例えば、画像受信装置２０ａが複数の第２の通信モジュール２０２を有しており、それぞれの第２の通信モジュール２０２がそれぞれ異なる撮像装置１０ａに通信により接続する。この場合、複数の第２の通信モジュール２０２は、それぞれが通信により接続している撮像装置１０ａから画像データを受信する。
【０１８７】
複数の撮像装置１０ａのうち１台の撮像装置１０ａのみが画像受信装置２０ａと直接的に通信を行い、他の撮像装置１０ａは、画像受信装置２０ａと直接的に通信を行う撮像装置１０ａを介して画像受信装置２０ａと通信を行うことによって、複数の撮像装置１０ａと画像受信装置２０ａとが通信により接続されてもよい。この場合、例えば、画像受信装置２０ａと直接的に通信を行う１台の撮像装置１０ａが、他の撮像装置１０ａから受信した画像データと、自身が生成した画像データとを１つの画像データに集約し、集約された画像データを画像受信装置２０ａに送信する。画像受信装置２０ａと直接的に通信を行う１台の撮像装置１０ａが、他の撮像装置１０ａから受信した画像データと、自身が生成した画像データとを時分割により画像受信装置２０ａに送信してもよい。
【０１８８】
画像受信装置２０ａの動作の手順は、図６に示す手順とほぼ同様であるので、ステップＳ２００を除いて、画像受信装置２０ａの動作の手順についての説明を省略する。
【０１８９】
ステップＳ２００では、情報取得部２０１は複数の撮像装置１０ａのそれぞれに対応する複数の第１の識別情報を撮像装置１０ａから取得する。画像受信装置２０ａがＮ（Ｎ≧２）台の撮像装置１０ａと通信により接続する場合、Ｎ個の第１の識別情報が取得される。例えば、画像受信装置２０ａが複数の第２の通信モジュール２０２を有している場合、情報取得部２０１は、第２の通信モジュール２０２を介して、複数の撮像装置１０ａから複数の第１の識別情報を取得する。また、例えば、複数の撮像装置１０ａのうち１台の撮像装置１０ａのみが画像受信装置２０ａと直接的に通信を行う場合、画像受信装置２０ａと通信により接続する撮像装置１０ａの第１の通信モジュール１０２は、他の撮像装置１０ａから、他の撮像装置１０ａを識別する第１の識別情報を受信し、自身の第１の識別情報と、他の撮像装置１０ａから受信した第１の識別情報とを画像受信装置２０ａに送信する。情報取得部２０１は、第２の通信モジュール２０２を介して、１台の撮像装置１０ａから複数の第１の識別情報を取得する。
【０１９０】
図２４は、画像受信装置２０ａのディスプレイ２０３ａに表示される画面の例を示している。ディスプレイ２０３ａには、タイトルバー２０３１ａ，２０３２ａ，２０３３ａが、第２の識別情報に含まれる色情報に対応する色で表示される。また、タイトルバー２０３１ａ，２０３２ａ，２０３３ａには、３台の撮像装置１０ａの第１の識別情報が表示される。ディスプレイ２０３ａはタッチパネルであり、ユーザがタッチパネルを介して操作を行うことが可能である。
【０１９１】
図２４の最も左側の状態では、タイトルバー２０３１ａで示される画面が最も手前側に表示され、その画面に、第１の識別情報（ＩＤ）がＡＰ−１１１１である撮像装置１０ａから受信された画像データに基づく画像２０３４ａが表示される。この状態で、ユーザによってタイトルバー２０３２ａがクリックされると、ディスプレイ２０３ａの状態は図２４の中央の状態となる。この状態では、タイトルバー２０３２ａで示される画面が最も手前側に表示され、その画面に、第１の識別情報（ＩＤ）がＡＰ−２２２２である撮像装置１０ａから受信された画像データに基づく画像２０３５ａが表示される。この状態で、ユーザによってタイトルバー２０３３ａがクリックされると、ディスプレイ２０３ａの状態は図２４の最も右側の状態となる。この状態では、タイトルバー２０３３ａで示される画面が最も手前側に表示され、その画面に、第１の識別情報（ＩＤ）がＡＰ−３３３３である撮像装置１０ａから受信された画像データに基づく画像２０３６ａが表示される。
【０１９２】
撮像装置１０ａからの画像が表示されず、タイトルバーのみが表示されてもよい。また、ディスプレイ２０３ａに表示される画面が複数の領域に分割され、分割された領域に複数の撮像装置１０ａのそれぞれからの画像が表示されてもよい。
【０１９３】
本実施形態では、撮像装置１０ａのＬＥＤ１０１ａと画像受信装置２０ａのディスプレイ２０３ａとが色を表示するが、表示の形態はこれ以外であってもよい。例えば、撮像装置１０ａの第１の表示インタフェースと画像受信装置２０ａの第２の表示インタフェースとが画像、文字、記号、図形、パターン等を表示してもよい。
【０１９４】
本実施形態では、画像受信装置２０ａが第２の表示インタフェース２０３（ディスプレイ２０３ａ）を有しているが、図２に示す撮像システムと同様に、画像受信装置２０ａが第２の表示インタフェース２０３を有しておらず、第２の表示インタフェース２０３が画像受信装置２０ａに電気的に接続されてもよい。
【０１９５】
本実施形態では、第１の識別情報は撮像装置１０ａを識別する情報であるが、第１の識別情報が撮像装置１０ａに電気的に接続されるレンズモジュールを識別する情報であってもよい。
【０１９６】
本実施形態では、撮像装置１０ａと画像受信装置２０ａとの対応関係の、ユーザによる視覚的な確認が容易となる。特に、画像受信装置２０ａが複数の撮像装置１０ａと通信により接続する場合に、複数の撮像装置１０ａと画像受信装置２０ａとの対応関係の、ユーザによる視覚的な確認が容易となる。
【０１９７】
（第９の実施形態）
次に、本発明の第９の実施形態を説明する。図２５は、本実施形態による撮像システムの構成例を示している。図２５に示す撮像システムは、撮像装置１１と、画像受信装置２０とを有する。本実施形態では複数の画像受信装置２０が１台の撮像装置１１と通信により接続する例を説明する。画像受信装置２０の構成については、既に説明したので、説明を省略する。
【０１９８】
撮像装置１０は、撮像モジュール１００と、第１の表示インタフェース１０１と、第１の通信モジュール１０２と、表示制御部１０３と、情報割り当て部１０４とを有する。既に説明した構成については説明を省略する。情報割り当て部１０４は、複数の画像受信装置２０に対して、異なる第２の識別情報を割り当てる。第１の通信モジュール１０２は、情報割り当て部１０４によって割り当てられた第２の識別情報を複数の画像受信装置２０に送信する。
【０１９９】
以下では、図２６に示す撮像システムの例を説明する。図２６に示す撮像システムは、撮像装置１１ｅと、画像受信装置２０ｅ１，２０ｅ２，２０ｅ３，２０ｅ４とを有する。
【０２００】
レンズモジュール３０ｅが撮像装置１１ｅに電気的に接続されている。撮像装置１１ｅの表面に４個のＬＥＤ１０１ｅが配置されている。４個のＬＥＤ１０１ｅのそれぞれは、単一色による発光が可能な発光素子である。例えば、４個のＬＥＤ１０１ｅのそれぞれが発光する色は、赤、緑、青、白である。ＬＥＤ１０１ｅは、図１に示す第１の表示インタフェース１０１に対応する。撮像装置１１ｅは、ＬＥＤ１０１ｅのほか、図２５に示す撮像モジュール１００と、第１の通信モジュール１０２と、表示制御部１０３と、情報割り当て部１０４とを有する。最大で４台の画像受信装置が撮像装置１１ｅと通信により接続することが可能である。
【０２０１】
画像受信装置２０ｅ１，２０ｅ２，２０ｅ３，２０ｅ４はスマートフォン等の携帯端末である。画像受信装置２０ｅ１の表面にはディスプレイ２０３ｅ１が配置されている。ディスプレイ２０３ｅ１の領域２０３０ｅ１には、ＬＥＤ１０１ｅが表示する４つの色のいずれかと同じ色が表示される。例えば、領域２０３０ｅ１は、アプリケーションのタイトルバーである。ディスプレイ２０３ｅ１の領域２０３１ｅ１には、撮像装置１１ｅから受信された画像データに基づく画像が表示される。ディスプレイ２０３ｅ１は、図１に示す第２の表示インタフェース２０３に対応する。画像受信装置２０ｅ１は、ディスプレイ２０３ｅ１のほか、図２５に示す記憶モジュール２００と、情報取得部２０１と、第２の通信モジュール２０２と、情報出力部２０４とを有する。
【０２０２】
画像受信装置２０ｅ２の表面にはディスプレイ２０３ｅ２が配置されている。ディスプレイ２０３ｅ２の領域２０３０ｅ２には、ＬＥＤ１０１ｅが表示する４つの色のいずれかと同じ色が表示される。例えば、領域２０３０ｅ２は、アプリケーションのタイトルバーである。ディスプレイ２０３ｅ２の領域２０３１ｅ２には、撮像装置１１ｅから受信された画像データに基づく画像が表示される。ディスプレイ２０３ｅ２は、図１に示す第２の表示インタフェース２０３に対応する。画像受信装置２０ｅ２は、ディスプレイ２０３ｅ２のほか、図２５に示す記憶モジュール２００と、情報取得部２０１と、第２の通信モジュール２０２と、情報出力部２０４とを有する。
【０２０３】
画像受信装置２０ｅ３にはカバー４０ｂと同様の機能を有するカバー４０ｅ３が取り付けられている。カバー４０ｅ３の表面にはＬＥＤ２０３ｅ３が配置されている。ＬＥＤ２０３ｅ３は、ＬＥＤ１０１ｅが表示する４つの色のいずれかと同じ色を表示する。ＬＥＤ２０３ｅ３は、図１に示す第２の表示インタフェース２０３に対応する。画像受信装置２０ｅ３の表面にはディスプレイ２０４ｅ３が配置されている。ディスプレイ２０４ｅ３の領域２０４０ｅ３には、撮像装置１１ｅから受信された画像データに基づく画像が表示される。画像受信装置２０ｅ３は、ＬＥＤ２０３ｅ３と、ディスプレイ２０４ｅ３とのほか、図２５に示す記憶モジュール２００と、情報取得部２０１と、第２の通信モジュール２０２と、情報出力部２０４とを有する。
【０２０４】
画像受信装置２０ｅ４の端部にはＬＥＤ２０３ｅ４が配置されている。ＬＥＤ２０３ｅ４は、ＬＥＤ１０１ｅが表示する４つの色のいずれかと同じ色を表示する。ＬＥＤ２０３ｅ４は、図１に示す第２の表示インタフェース２０３に対応する。画像受信装置２０ｅ４の表面にはディスプレイ２０４ｅ４が配置されている。ディスプレイ２０４ｅ４の領域２０４０ｅ４には、撮像装置１１ｅから受信された画像データに基づく画像が表示される。画像受信装置２０ｅ４は、ＬＥＤ２０３ｅ４と、ディスプレイ２０４ｅ４とのほか、図２５に示す記憶モジュール２００と、情報取得部２０１と、第２の通信モジュール２０２と、情報出力部２０４とを有する。
【０２０５】
ディスプレイ２０３ｅ１の領域２０３０ｅ１と、ディスプレイ２０３ｅ２の領域２０３０ｅ２と、ＬＥＤ２０３ｅ３と、ＬＥＤ２０３ｅ４とは、それぞれ異なる色を表示する。
【０２０６】
撮像装置１１ｅのＬＥＤ１０１ｅと、画像受信装置２０ｅ１，２０ｅ２，２０ｅ３，２０ｅ４に対応する第２の表示インタフェース（ディスプレイ２０３ｅ１の領域２０３０ｅ１、ディスプレイ２０３ｅ２の領域２０３０ｅ２、ＬＥＤ２０３ｅ３、ＬＥＤ２０３ｅ４）とが同一の色を表示することによって、撮像装置１１ｅと画像受信装置２０ｅ１，２０ｅ２，２０ｅ３，２０ｅ４との対応関係が識別可能となる。４色が同時に点灯しなくてもよく、各色が時分割により順次点灯してもよい。
【０２０７】
図２７は、撮像装置１１ｅの動作の手順の例を示している。図２７を参照して、画像受信装置に対する色の割り当てに関する撮像装置１１ｅの動作を説明する。
【０２０８】
第１の通信モジュール１０２が、通信により接続中の画像受信装置とは異なる新しい画像受信装置からの接続要求を受信することによって接続要求が検出され（ステップＳ９００）、通信により接続中の画像受信装置の数が４よりも小さい場合（ステップＳ９０５）、第１の通信モジュール１０２は、接続要求の送信元の画像受信装置と通信により接続し（通信接続を確立し）、接続成功を画像受信装置に通知する（ステップＳ９１０）。続いて、撮像装置１１ｅは、通信により接続中の画像受信装置の数を１増加する（ステップＳ９１５）。処理が開始された直後、通信により接続中の画像受信装置の数の初期値は０である。
【０２０９】
続いて、情報割り当て部１０４は、ステップＳ９１０で通信により接続された画像受信装置に対して、未使用の色を割り当てる。さらに、情報割り当て部１０４は、割り当てた色に対応する色情報を含む第２の識別情報を生成する（ステップＳ９２０）。例えば、撮像装置１１ｅは、記憶モジュールを有する。情報割り当て部１０４は、ステップＳ９２０で生成された第２の識別情報を、画像受信装置の識別情報と関連付けて記憶モジュールに記憶させる。
【０２１０】
続いて、第１の通信モジュール１０２は、情報割り当て部１０４によって生成された第２の識別情報を、ステップＳ９１０で通信により接続された画像受信装置に送信することによって、割り当てられた色を画像受信装置に通知する（ステップＳ９２５）。続いて、接続要求の検出が行われ（ステップＳ９００）、処理が継続する。
【０２１１】
接続要求が検出され（ステップＳ９００）、通信により接続中の画像受信装置の数が４である場合（ステップＳ９０５）、第１の通信モジュール１０２は、接続要求の送信元の画像受信装置に接続失敗を通知する（ステップＳ９３０）。この画像受信装置とは通信接続は確立されない。続いて、接続要求の検出が行われ（ステップＳ９００）、処理が継続する。
【０２１２】
第１の通信モジュール１０２が、通信により接続中の画像受信装置とは異なる新しい画像受信装置からの接続要求を受信するのではなく（ステップＳ９００）、通信により接続中の画像受信装置からの切断要求を受信することによって切断要求が検出された場合（ステップＳ９３５）、第１の通信モジュール１０２は、通信により接続中の画像受信装置との通信接続を切断する（ステップＳ９４０）。
【０２１３】
続いて、撮像装置１１ｅは、通信により接続中の画像受信装置の数を１減少する（ステップＳ９４５）。続いて、情報割り当て部１０４は、ステップＳ９４０で通信接続が切断された画像受信装置に割り当てられていた色を未使用状態にする（ステップＳ９５０）。例えば、ステップＳ９５０では、情報割り当て部１０４は、通信接続が切断された画像受信装置の識別情報と、割り当てられた色に対応する第２の識別情報とを記憶モジュールから消去する。ステップＳ９５０では、情報割り当て部１０４は、通信接続が切断された画像受信装置の識別情報を記憶モジュールから消去し、割り当てられた色に対応する第２の識別情報に、未使用状態であることを示すフラグを付加してもよい。続いて、接続要求の検出が行われ（ステップＳ９００）、処理が継続する。
【０２１４】
接続要求も切断要求も検出されなかった場合（ステップＳ９００，Ｓ９３５）、接続要求の検出が再度行われ（ステップＳ９００）、処理が継続する。
【０２１５】
画像受信装置２０ｅ１，２０ｅ２，２０ｅ３，２０ｅ４の動作の手順は、図６に示す手順とほぼ同様であるので、画像受信装置２０ｅ１，２０ｅ２，２０ｅ３，２０ｅ４の動作の手順についての説明を省略する。
【０２１６】
図２６に示す撮像システムでは、撮像装置１１ｅのＬＥＤ１０１ｅと、画像受信装置２０ｅ１，２０ｅ２，２０ｅ３，２０ｅ４に対応する第２の表示インタフェースとが色を表示するが、表示の形態はこれ以外であってもよい。例えば、撮像装置１１ｅの第１の表示インタフェースと、画像受信装置２０ｅ１，２０ｅ２，２０ｅ３，２０ｅ４に対応する第２の表示インタフェースとが画像、文字、記号、図形、パターン等を表示してもよい。
【０２１７】
本実施形態では、第１の識別情報は撮像装置１１を識別する情報であるが、第１の識別情報が撮像装置１１に電気的に接続されるレンズモジュールを識別する情報であってもよい。
【０２１８】
本実施形態では、撮像装置１１と画像受信装置２０との対応関係の、ユーザによる視覚的な確認が容易となる。特に、複数の画像受信装置２０が撮像装置１１と通信により接続する場合に、撮像装置１１と複数の画像受信装置２０との対応関係の、ユーザによる視覚的な確認が容易となる。
【０２１９】
また、複数の画像受信装置２０に対して、異なる第２の識別情報を割り当てることによって、異なる画像受信装置２０を確実に識別することができる。
【０２２０】
（第１０の実施形態）
次に、本発明の第１０の実施形態を説明する。図２８は、本実施形態による撮像システムの構成例を示している。図２８に示す撮像システムは、撮像装置１０と、画像受信装置２２と、サーバ５０とを有する。図２８では１台の撮像装置１０と１台の画像受信装置２２とが示されているが、撮像システムが２台以上の撮像装置１０または２台以上の画像受信装置２２を有していてもよい。撮像装置１０の構成については、既に説明したので、説明を省略する。また、画像受信装置２２の構成については、既に説明したので、説明を省略する。サーバ５０は、表示内容を識別する第２の識別情報を保持する。
【０２２１】
本実施形態による画像受信装置２２は、記憶モジュール２００に第１の識別情報と第２の識別情報とを記憶させる設定部２０６を有する。画像受信装置２２の第２の通信モジュール２０２は、第２の識別情報を保持するサーバ５０に、第２の識別情報を要求することを示す要求情報を送信し、要求情報を受信したサーバ５０から第２の識別情報を受信する。画像受信装置２２の設定部２０６は、第２の通信モジュール２０２によって受信された第２の識別情報を、情報取得部２０１によって取得された第１の識別情報と関連付けて記憶モジュール２００に記憶させる。
【０２２２】
また、本実施形態では、画像受信装置２２の情報取得部２０１は、位置情報を取得する。画像受信装置２２の第２の通信モジュール２０２は、サーバ５０に、要求情報と位置情報とを送信し、要求情報を受信したサーバ５０から、位置情報に応じた第２の識別情報を受信する。
【０２２３】
例えば、情報取得部２０１は、自律測位が可能なＧＰＳ（Global Positioning System）受信機である。情報取得部２０１は、第２の通信モジュール２０２を介して周囲の装置と通信を行い、周囲の装置から画像受信装置２２の位置情報を取得してもよい。
【０２２４】
図２９は、画像受信装置２２の動作の手順の例を示している。図２９を参照して、第２の識別情報の取得に関する画像受信装置２２の動作を説明する。
【０２２５】
情報取得部２０１は、撮像装置１０、または撮像装置１０に電気的に接続されるレンズモジュールを識別する第１の識別情報を撮像装置１０から取得する（ステップＳ１０００）。さらに、情報取得部２０１は、位置情報を取得する（ステップＳ１００５）。
【０２２６】
続いて、第２の通信モジュール２０２は、サーバ５０に要求情報と位置情報とを送信する（ステップＳ１０１０）。例えば、ステップＳ１０１０では、位置情報が付加された要求情報が送信される。
【０２２７】
続いて、第２の通信モジュール２０２は、サーバ５０から第２の識別情報を受信する（ステップＳ１０１５）。
【０２２８】
続いて、設定部２０６は、ステップＳ１０１５で受信された第２の識別情報を、ステップＳ１０００で取得された第１の識別情報と関連付けて記憶モジュール２００に記憶させる。
【０２２９】
ステップＳ１００５で位置情報が取得された後、ステップＳ１０００で第１の識別情報が取得されてもよい。また、ステップＳ１０１０では、要求情報の送信と位置情報の送信とが別々に行われてもよい。
【０２３０】
図３０は、サーバ５０の動作の手順の例を示している。図３０を参照して、第２の識別情報の割り当てに関するサーバ５０の動作を説明する。
【０２３１】
サーバ５０が画像受信装置２２から要求情報を受信した場合（ステップＳ１１００）、サーバ５０は、要求情報の送信元の画像受信装置の位置情報を取得する（ステップＳ１１０５）。例えば、位置情報が要求情報に付加されている場合、ステップＳ１１０５では、要求情報から位置情報が取得される。
【０２３２】
続いて、サーバ５０は、ステップＳ１１０５で取得された位置情報が示す位置を中心とする所定の範囲内の画像受信装置２２を検出する（ステップＳ１１１０）。例えば、サーバ５０は、画像受信装置２２から受信された位置情報と、画像受信装置２２に割り当てられた第２の識別情報とを関連付けて記憶する記憶モジュールを有する。ステップＳ１１１０では、サーバ５０は、ステップＳ１１０５で取得された位置情報が示す位置と、記憶モジュールに記憶されている位置情報が示す位置との距離を算出する。算出された距離が所定の距離（例えば５０ｍ）以下であった場合、サーバ５０は、所定の範囲内の画像受信装置２２が検出されたと判断する。ステップＳ１１１０では、要求情報を送信した画像受信装置２２の位置を中心とする所定の範囲内にある全ての画像受信装置２２を検出することが望ましい。
【０２３３】
続いて、サーバ５０は、ステップＳ１１１０で検出された画像受信装置２２に割り当てられた第２の識別情報を確認する（ステップＳ１１１５）。例えば、ステップＳ１１１５では、サーバ５０は、ステップＳ１１０５で取得された位置情報が示す位置との距離が所定の距離以下であると判断された位置を示す位置情報と関連付けられて記憶モジュールに記憶されている第２の識別情報を確認する。
【０２３４】
続いて、サーバ５０は、ステップＳ１１１０で検出された画像受信装置に割り当てられている第２の識別情報と異なる第２の識別情報を選択する（ステップＳ１１２０）。例えば、サーバ５０の記憶モジュールは、画像受信装置２２に割り当てられる第２の識別情報を記憶している。ステップＳ１１２０では、サーバ５０は、画像受信装置２２に割り当てられるために保持している第２の識別情報のうち、ステップＳ１１１５で確認された第２の識別情報と異なる第２の識別情報を選択する。
【０２３５】
続いて、サーバ５０は、ステップＳ１１２０で選択された第２の識別情報を要求情報の送信元の画像受信装置２２に送信する（ステップＳ１１２５）。
【０２３６】
上記の処理では、第２の識別情報の重複の確認に関するサーバ５０の処理負荷を低減するため、位置情報を利用することによって、所定の範囲内にある画像受信装置２２に割り当てられている第２の識別情報についてのみ第２の識別情報の重複の確認が行われる。これに対して、位置情報を利用しないことも可能である。つまり、画像受信装置２２がステップＳ１００５の処理を行わず、ステップＳ１０１０で位置情報を送信しないことも可能である。また、サーバ５０がステップＳ１１０５，Ｓ１１１０の処理を行わず、ステップＳ１１２０では、割り当て済みの全ての第２の識別情報と異なる第２の識別情報を選択してもよい。
【０２３７】
第２の識別情報に対応する第２の情報の表示に関する画像受信装置２２の動作の手順は、図３に示す手順とほぼ同様であるので、画像受信装置２２の動作の手順についての説明を省略する。
【０２３８】
本実施形態では、撮像装置１０、または撮像装置１０に電気的に接続されるレンズモジュールと画像受信装置２２との対応関係の、ユーザによる視覚的な確認が容易となる。また、画像受信装置２２が第２の識別情報を記憶モジュール２００に設定する処理を簡易にすることができる。また、同一のサーバ５０と通信により接続する画像受信装置２２との間で第２の識別情報の重複を回避することができる。
【０２３９】
また、位置情報を利用することによって、第２の識別情報の重複の確認を行う対象となる画像受信装置２２が、要求情報を送信した画像受信装置２２の周囲の所定の範囲内にある画像受信装置２２に限定される。このため、サーバ５０の処理負荷を低減することができる。
【０２４０】
（第１１の実施形態）
次に、本発明の第１１の実施形態を説明する。図３１（ａ）と図３１（ｂ）とは、本実施形態による撮像システムの構成例を示している。図３１（ａ）と図３１（ｂ）に示す撮像システムは、撮像装置１０ｆと、画像受信装置２０ｆと、カバー４０ｆとを有する。図３１（ａ）は、画像受信装置２０ｆの正面側から撮像システムを見た状態を示している。図３１（ｂ）は、画像受信装置２０ｆの背面側から撮像システムを見た状態を示している。
【０２４１】
レンズモジュール３０ｆが撮像装置１０ｆに電気的に接続されている。撮像装置１０ｆにおいて、レンズモジュール３０ｆが接続される面とは反対側の面に、マルチカラーによる発光が可能なＬＥＤ１０１ｆが配置されている。ＬＥＤ１０１ｆは、図１に示す第１の表示インタフェース１０１に対応する。また、撮像装置１０ｆにおいて、画像受信装置２０ｆと対向する面に接続端子１０５ｆが配置されている。撮像装置１０ｆは、ＬＥＤ１０１ｆと接続端子１０５ｆとのほか、図１に示す撮像モジュール１００と、第１の通信モジュール１０２と、表示制御部１０３とを有する。
【０２４２】
画像受信装置２０ｆはスマートフォン等の携帯端末である。画像受信装置２０ｆの表面にはディスプレイ２０４ｆが配置されている。ディスプレイ２０４ｆは、撮像装置１０ｆから受信された画像データに基づく画像を表示する。画像受信装置２０ｆの端部には、マルチカラーによる発光が可能なＬＥＤ２０３ｆが配置されている。ＬＥＤ２０３ｆは、図１に示す第２の表示インタフェース２０３に対応する。画像受信装置２０ｆは、ディスプレイ２０４ｆと、ＬＥＤ２０３ｆとのほか、図１に示す記憶モジュール２００と、情報取得部２０１と、第２の通信モジュール２０２と、情報出力部２０４とを有する。
【０２４３】
例えば、カバー４０ｆは、カバー４０ｂと同様の機能を有する、スマートフォンのアクセサリカバーである。カバー４０ｆを画像受信装置２０ｆに接触させて固定することが可能である。カバー４０ｆにおいて、撮像装置１０ｆの接続端子１０５ｆと対応する位置に接続端子４０３ｆが設けられている。接続端子１０５ｆと接続端子４０３ｆとは、互いに物理的に接触して撮像装置１０ｆと画像受信装置２０ｆとを電気的に接続する。
【０２４４】
本実施形態では、撮像装置１０ｆのＬＥＤ１０１ｆと画像受信装置２０ｆのＬＥＤ２０３ｆとが同一の色を表示することによって、撮像装置１０ｆ、または撮像装置１０ｆに電気的に接続されるレンズモジュール３０ｆと画像受信装置２０ｆとの対応関係が識別可能となる。
【０２４５】
本実施形態では、撮像装置１０ｆは第１の面（レンズモジュール３０ｆが電気的に接続される面とは反対側の面）を有する。ＬＥＤ１０１ｆは、撮像装置１０ｆの第１の面に配置されている。接続端子１０５ｆと接続端子４０３ｆとが電気的に接続された場合、第１の面が、第２の面（ディスプレイ２０４ｆが配置される面とは反対側の面）を有する画像受信装置２０ｆの第２の面と向かい合い、かつ、ＬＥＤ１０１ｆが第２の面と重なった状態で、撮像装置１０ｆがカバー４０ｆ、即ち画像受信装置２０ｆに固定される。
【０２４６】
本実施形態では、撮像装置１０ｆは、カバー４０ｆの接続端子４０３ｆと接触し、カバー４０ｆを介して、外部機器である画像受信装置２０ｆと電気的に接続する接続端子１０５ｆを有する。接続端子１０５ｆは、撮像装置１０ｆにおいて、撮像モジュール１００の撮像方向と逆方向に向く面に配置されている。
【０２４７】
接続端子１０５ｆは、短い有線ケーブルを接続するよう構成されていてもよい。その場合、撮像装置１０ｆの接続端子１０５ｆとカバー４０ｆの接続端子４０３ｆとは、有線ケーブルによって電気的に接続される。その結果、撮像装置１０ｆは、有線ケーブル、および、カバー４０ｆの接続端子４０３ｆを介して、画像受信装置２０ｆと電気的に接続することができる。
【０２４８】
撮像装置１０ｆと画像受信装置２０ｆとが接続端子１０５ｆと接続端子４０３ｆとによって電気的に接続されている場合、例えば、接続端子１０５ｆと接続端子４０３ｆとを介して撮像装置１０ｆと画像受信装置２０ｆとの間で通信が行われる。この形態では、カバー４０ｆの接続端子４０３ｆは画像受信装置２０ｆのイヤホンジャックまたはデータ同期用の端子等に電気的に接続されている。撮像装置１０ｆと画像受信装置２０ｆとが接続端子１０５ｆと接続端子４０３ｆとによって電気的に接続されて撮像装置１０ｆと画像受信装置２０ｆとの間で通信が行われるのではなく、近距離無線通信によって撮像装置１０ｆと画像受信装置２０ｆとの間で通信が行われてもよい。
【０２４９】
撮像装置１０ｆと画像受信装置２０ｆとが接続端子１０５ｆと接続端子４０３ｆとによって電気的に接続されている場合、撮像装置１０ｆのＬＥＤ１０１ｆがカバー４０ｆで覆われる。撮像装置１０ｆと画像受信装置２０ｆとが接触している場合、撮像装置１０ｆがどの画像受信装置２０ｆと通信により接続しているのかを確認する必要性は低い。このため、撮像装置１０ｆのＬＥＤ１０１ｆがカバー４０ｆに覆われてユーザから見えにくくなっても構わない。また、この場合、撮像装置１０ｆのＬＥＤ１０１ｆと画像受信装置２０ｆのＬＥＤ２０３ｆとが情報を非表示にしてもよい。
【０２５０】
撮像装置１０ｆと画像受信装置２０ｆとが接続端子１０５ｆと接続端子４０３ｆとによって電気的に接続される場合、ＬＥＤ１０１ｆが配置されている撮像装置１０ｆの面に透明な薄板を固定してもよい。これによって、ＬＥＤ１０１ｆの色を薄板の側面から確認することが可能となる。
【０２５１】
本実施形態では、撮像装置１０ｆのＬＥＤ１０１ｆと画像受信装置２０ｆのＬＥＤ２０３ｆとが色を表示するが、表示の形態はこれ以外であってもよい。例えば、撮像装置１０ｆの第１の表示インタフェースと画像受信装置２０ｆの第２の表示インタフェースとが画像、文字、記号、図形、パターン等を表示してもよい。
【０２５２】
本実施形態では、画像受信装置２０ｆが第２の表示インタフェース２０３（ＬＥＤ２０３ｆ）を有しているが、図２に示す撮像システムと同様に、画像受信装置２０ｆが第２の表示インタフェース２０３を有しておらず、第２の表示インタフェース２０３が画像受信装置２０ｆに電気的に接続されてもよい。
【０２５３】
本実施形態では、撮像装置１０ｆ、または撮像装置１０ｆに電気的に接続されるレンズモジュール３０ｆと画像受信装置２０ｆとの対応関係の、ユーザによる視覚的な確認が容易となる。また、撮像装置１０ｆと画像受信装置２０ｆとが分離しているときのみ撮像装置１０ｆと画像受信装置２０ｆとの対応関係を明確に示すことができる。撮像装置１０ｆと画像受信装置２０ｆとが物理的に接触している場合、撮像装置１０ｆと画像受信装置２０ｆとの対応関係の表示が行われなくてもよいので、撮像装置１０ｆと画像受信装置２０ｆとの消費電力を低減することができる。
【０２５４】
＜変形例＞
次に、本実施形態の変形例を説明する。図３２（ａ）は、本実施形態による撮像システムの構成例を示している。図３２（ａ）に示す撮像システムは、撮像装置１０ｇと、画像受信装置２０ｇと、カバー４０ｇとを有する。図３２（ｂ）は、本実施形態による撮像装置１０ｇの構成を示している。
【０２５５】
レンズモジュール３０ｇが撮像装置１０ｇに電気的に接続されている。撮像装置１０ｇにおいて、画像受信装置２０ｇと対向する側面に、マルチカラーによる発光が可能なＬＥＤ１０１ｇが配置されている。ＬＥＤ１０１ｇは、図１に示す第１の表示インタフェース１０１に対応する。また、撮像装置１０ｇにおいて、側面に接続端子１０５ｇが配置されている。撮像装置１０ｇは、ＬＥＤ１０１ｇと接続端子１０５ｇとのほか、図１に示す撮像モジュール１００と、第１の通信モジュール１０２と、表示制御部１０３とを有する。
【０２５６】
画像受信装置２０ｇはスマートフォン等の携帯端末である。画像受信装置２０ｇの表面にはディスプレイ２０４ｇが配置されている。ディスプレイ２０４ｇは、撮像装置１０ｇから受信された画像データに基づく画像を表示する。画像受信装置２０ｇの端部には、マルチカラーによる発光が可能なＬＥＤ２０３ｇが配置されている。ＬＥＤ２０３ｇは、図１に示す第２の表示インタフェース２０３に対応する。画像受信装置２０ｇは、ディスプレイ２０４ｇと、ＬＥＤ２０３ｇとのほか、図１に示す記憶モジュール２００と、情報取得部２０１と、第２の通信モジュール２０２と、情報出力部２０４とを有する。
【０２５７】
例えば、カバー４０ｇは、カバー４０ｂと同様の機能を有する、スマートフォンのアクセサリカバーである。カバー４０ｇを画像受信装置２０ｇに接触させて固定することが可能である。カバー４０ｇにおいて、撮像装置１０ｇの接続端子１０５ｇと対応する位置に接続端子４０３ｇが設けられている。接続端子１０５ｇと接続端子４０３ｇとは、互いに物理的に接触して撮像装置１０ｇと画像受信装置２０ｇとを電気的に接続する。図３１（ａ）と図３１（ｂ）とに関して説明した事項は、図３２（ａ）と図３２（ｂ）とに関しても同様に適用可能である。
【０２５８】
本変形例では、撮像装置１０ｇは第１の面（側面）を有する。ＬＥＤ１０１ｇは、撮像装置１０ｇの第１の面に配置されている。接続端子１０５ｇと接続端子４０３ｇとが電気的に接続された場合、第１の面が、第２の面（ディスプレイ２０４ｇが配置される面とは反対側の面）を有する画像受信装置２０ｇの第２の面と向かい合い、かつ、ＬＥＤ１０１ｇが第２の面と重なった状態で、撮像装置１０ｇがカバー４０ｇ、即ち画像受信装置２０ｇに固定される。
【０２５９】
本変形例では、撮像装置１０ｇは、カバー４０ｇの接続端子４０３ｇと接触し、カバー４０ｇを介して、外部機器である画像受信装置２０ｇと電気的に接続する接続端子１０５ｇを有する。ＬＥＤ１０１ｇは、撮像装置１０ｇにおいて、接続端子１０５ｇの接続面（接続端子１０５ｇが配置されている面）が向く方向と同一方向に向く面に配置されている。
【０２６０】
接続端子１０５ｇは、短い有線ケーブルを接続するよう構成されていてもよい。この場合、撮像装置１０ｇの接続端子１０５ｇとカバー４０ｇの接続端子４０３ｇとは、有線ケーブルによって電気的に接続される。その結果、撮像装置１０ｇは、有線ケーブル、および、カバー４０ｇの接続端子４０３ｇを介して、画像受信装置２０ｇと電気的に接続することができる。この場合、ＬＥＤ１０１ｇは、撮像装置１０ｇにおいて、有線ケーブルを接続端子１０５ｇに接続するときの接続面（有線ケーブルを接続する接続端子１０５ｇが配置されている面）が向く方向と同一方向に向く面に配置されている。
【０２６１】
（ユースケースへの適用）
上記の各実施形態は、以下のユースケースに適用することが可能である。
【０２６２】
（ユースケース０）
無線接続には数秒以上の時間が必要となる。撮影を行うたびにカメラが起動し、カメラが端末と通信により接続する方法では、シャッターチャンスを逃す場合がある。このため、カメラをスタンバイモードなどで常時起動している状態に保ち、端末との無線接続を維持したいという要求がある。さらに、端末上の撮影用のアプリケーションが起動する前に、端末とカメラとが通信による接続状態にあるか否かの確認が行われた場合にアプリケーションが起動し、カメラをスタンバイモードから復帰できるようにすることが望ましい。このユースケースでは、上記の各実施形態を適宜適用することによって、カメラまたは端末が複数台ある場合でも、どの端末とどのカメラとが通信により接続されているのかを瞬時に把握することができる。
【０２６３】
（ユースケース１）
カメラと端末とがそれぞれ通信インタフェースを１つだけ持つ場合、必然的にカメラと端末との通信接続は１対１での接続に限定される。１台の端末が、それぞれ異なるレンズモジュールを取り付けた複数のカメラを切り替えてカメラに通信により接続する場合、端末がどのカメラと接続しているのかを確認できるようにする必要がある。
【０２６４】
図３３は、１台の端末が、それぞれ異なるレンズを取り付けた複数のカメラを切り替えてカメラと通信により接続するシステムの例を示している。図３３に示すシステムは、１台の端末ｔｍｎ１と、３台のカメラｃｍｒ１，ｃｍｒ２，ｃｍｒ３とを有する。それぞれのカメラｃｍｒ１，ｃｍｒ２，ｃｍｒ３には、焦点距離およびＦ値の組合せが異なるレンズモジュールｌｎｚ１，ｌｎｚ２，ｌｎｚ３が取り付けられている。図３３では、端末ｔｍｎ１がカメラｃｍｒ２と通信により接続した後、端末ｔｍｎ１が通信接続を切り替えてカメラｃｍｒ２と通信により接続する。
【０２６５】
特に、画角が同じ、あるいは画角が近い複数のレンズが存在する場合、スルー画の確認だけでは、端末がどのカメラと通信により接続しているのかを判断しにくい場合がある。カメラを端末に物理的に接触させずにリモート撮影を行う場合、本当にカメラと端末とが通信により接続されているのか、定期的に、あるいは常時確認したいという要求がある。もちろん、カメラが端末に物理的に接触していたとしても、カメラと端末とが通信により接続されていない可能性はある。カメラと端末との通信における接続状態を確認する方法として、ユーザが手をレンズの前にかざした状態で端末が表示する画像を確認する方法が考えられる。しかし、この方法は、定期的に接続状態を確認するには不便であるし、場合によっては、ユーザが手を近づけることができない場所にカメラが固定されていることも考えられる。
【０２６６】
このユースケースでは、上記の各実施形態を適宜適用することによって、カメラと端末との対応関係の確認を容易にすることができる。
【０２６７】
（ユースケース２）
１対１接続を想定した場合、１つの端末がカメラと通信により接続している間、他のモバイルデバイスはカメラと通信により接続することができない。図３４は、複数の端末がカメラを共有するシステムの例を示している。図３４に示すシステムは、２台の端末ｔｍｎ１，ｔｍｎ２と、１台のカメラｃｍｒ１とを有する。カメラｃｍｒ１は同時に複数の端末と通信により接続することはできない。図３４では、端末ｔｍｎ１がカメラｃｍｒ１と通信により接続しているため、端末ｔｍｎ２はカメラｃｍｒ１と通信により接続できない。
【０２６８】
複数の端末がカメラを共有するシステムにおいて、あるモバイルデバイスがカメラと通信により接続している場合、他のモバイルデバイスがカメラと通信により接続するためには、既に通信接続が確立されているモバイルデバイスとの通信接続を解除しなければならない。このため、カメラがどの端末と通信により接続しているのかを把握する必要がある。
【０２６９】
カメラと端末との対応関係を把握するためには、ユーザが無線アクセスポイントとしてのカメラのＩＤ（ＳＳＩＤ）を知り、さらに、端末の無線接続設定を確認する必要がある。例えば、ユーザは、端末の設定画面によって、所望のアクセスポイント名を有するカメラに端末が通信により接続しているか否かを確認する必要がある。このため、対応関係の把握が容易ではない。
【０２７０】
ユーザが複数の端末を所有し、それら複数の端末が１つのカメラを共有する場合、ユーザはそれぞれの端末の設定画面によって、端末がどのアクセスポイントに通信により接続しているか確認することができる。しかし、上述したように、この方法は不便である。さらに、各々が端末を有する家族がカメラを共有する場合、家族の一人が家族の他の一人の端末の設定画面によって通信接続を確認し、通信接続を解除することが起こり得る。このため、家族内であっても、プライバシー上の問題が発生する場合がある。
【０２７１】
このユースケースでは、上記の各実施形態を適宜適用することによって、カメラと端末との対応関係の確認を容易にすることができる。また、他人の端末を操作することによるプライバシー上の問題の発生を抑制することができる。
【０２７２】
（ユースケース３）
カメラが複数（Ｎ個）の通信モジュールを有する場合、１台のカメラに対してＮ台の端末の通信接続が許される。この場合、端末がどのカメラと通信により接続しているのかを確認したいという要求がある。このユースケースでは、上記の各実施形態を適宜適用することによって、複数の端末で共有されるカメラとどの端末とが通信により接続しているのかが明確になり、複数の端末が同じ画像を共有していることを確認することができる。
【０２７３】
（ユースケース４）
複数（Ｎ台）のカメラが互いに接続可能な場合、１台の端末に対してＮ台のカメラの通信接続が許される。端末は、１台のカメラと通信により接続し、そのカメラを介して、他のカメラと通信により接続する。この場合、端末上で複数のカメラの画像を識別する必要がある。このユースケースでは、端末が複数のカメラからの画像を切り替えながら画像を表示する場合、端末がどのカメラからの画像を表示しているのかを、通信接続の切替時を含むタイミングで定期的にあるいは常時確認したいという要求がある。このユースケースでは、上記の各実施形態を適宜適用することによって、端末がどのカメラからの画像を表示しているのかを確認することができる。
【０２７４】
また、端末が複数（Ｎ個）の通信インタフェースを有している場合、１台の端末に対してＮ台のカメラの通信接続が許される。この場合も、上記の各実施形態を適宜適用することによって、端末がどのカメラからの画像を表示しているのかを確認することができる。
【０２７５】
（有線接続を含む場合）
ユースケースとして、カメラ自体が無線モジュールを含まない場合が想定される。図３５は、有線通信を行うカメラを有するシステムの例を示している。例えば観光地の撮影スポットに３台の固定されたカメラｃｍｒ１，ｃｍｒ２，ｃｍｒ３が設置されている。それぞれのカメラｃｍｒ１，ｃｍｒ２，ｃｍｒ３は無線アクセスポイントＡＰ１と有線で接続されている。ユーザが所有する端末ｔｍｎ１は、無線アクセスポイントＡＰ１を介してカメラｃｍｒ１，ｃｍｒ２，ｃｍｒ３と通信により接続する。このユースケースにおいても、上記の各実施形態を適宜適用することによって、端末がどのカメラと通信により接続しているのかを確認することができる。特に、１つの撮影スポットに複数のカメラが存在する場合、この効果は顕著となる。
【０２７６】
以上、図面を参照して本発明の実施形態について詳述してきたが、具体的な構成は上記の実施形態に限られるものではなく、本発明の要旨を逸脱しない範囲の設計変更等も含まれる。
【符号の説明】
【０２７７】
１０，１０ａ，１０ｂ，１０ｃ，１０ｄ，１０ｆ，１０ｇ，１１ｅ  撮像装置
２０，２０ａ，２０ｄ，２０ｅ１，２０ｅ２，２０ｅ３，２０ｅ４，２０ｆ，２０ｇ，２１，２１ｂ，２１ｃ，２２  画像受信装置
３０ａ，３０ｂ，３０ｃ，３０ｄ，３０ｅ，３０ｆ，３０ｇ  レンズモジュール
４０ｂ，４０ｃ，４０ｅ３，４０ｆ，４０ｇ  カバー
５０  サーバ
１００  撮像モジュール
１０１  第１の表示インタフェース
１０１ａ，１０１ｂ，１０１ｄ，１０１ｅ，１０１ｆ，２０３ｂ，２０３ｄ，２０３ｅ３，２０３ｅ４，２０３ｆ，２０３ｇ  ＬＥＤ
１０１ｃ，２０３ａ，２０３ｃ，２０３ｅ１，２０３ｅ２，２０４ｂ，２０４ｃ，２０４ｄ，２０４ｅ３，２０４ｅ４，２０４ｆ，２０４ｇ  ディスプレイ
１０２  第１の通信モジュール
１０３  表示制御部
１０４  情報割り当て部
１０５ｆ，１０５ｇ，４０３ｆ，４０３ｇ  接続端子
２００  記憶モジュール
２０１  情報取得部
２０２  第２の通信モジュール
２０３  第２の表示インタフェース
２０４  情報出力部
２０５ｂ，２０５ｃ  接続部
２０６  設定部
４００ｂ  制御信号用端子
４０１ｂ  拡張バッテリ
４０２ｂ  シャッタボタン
【図１】
2015115888.tif 000003
【図２】
2015115888.tif 000004
【図３】
2015115888.tif 000005
【図４】
2015115888.tif 000006
【図５】
2015115888.tif 000007
【図６】
2015115888.tif 000008
【図７】
2015115888.tif 000009
【図８】
2015115888.tif 000010
【図９】
2015115888.tif 000011
【図１０】
2015115888.tif 000012
【図１１】
2015115888.tif 000013
【図１２】
2015115888.tif 000014
【図１３】
2015115888.tif 000015
【図１４】
2015115888.tif 000016
【図１５】
2015115888.tif 000017
【図１６】
2015115888.tif 000018
【図１７】
2015115888.tif 000019
【図１８】
2015115888.tif 000020
【図１９】
2015115888.tif 000021
【図２０】
2015115888.tif 000022
【図２１】
2015115888.tif 000023
【図２２】
2015115888.tif 000024
【図２３】
2015115888.tif 000025
【図２４】
2015115888.tif 000026
【図２５】
2015115888.tif 000027
【図２６】
2015115888.tif 000028
【図２７】
2015115888.tif 000029
【図２８】
2015115888.tif 000030
【図２９】
2015115888.tif 000031
【図３０】
2015115888.tif 000032
【図３１】
2015115888.tif 000033
【図３２】
2015115888.tif 000034
【図３３】
2015115888.tif 000035
【図３４】
2015115888.tif 000036
【図３５】
2015115888.tif 000037
【手続補正書】
【提出日】平成27年4月16日(2015.4.16)
【手続補正１】
【補正対象書類名】特許請求の範囲
【補正対象項目名】全文
【補正方法】変更
【補正の内容】
【特許請求の範囲】
【請求項１】
画像受信装置であって、
撮像モジュールと第１の表示インタフェースと第１の通信モジュールとを有する撮像装置、または前記撮像装置に電気的に接続されるレンズモジュールを識別する第１の識別情報と、前記撮像装置と前記画像受信装置とで通信接続が確立されていることを視覚的に識別する第２の識別情報とを関連付けて記憶する記憶モジュールと、
前記撮像装置から送信された前記第１の識別情報を受信する第２の通信モジュールと、
前記第２の通信モジュールによって受信された前記第１の識別情報を取得する情報取得部と、
を有し、
前記第２の通信モジュールは、前記撮像装置との通信接続が確立された後、前記第１の表示インタフェースに対して、前記情報取得部によって取得された前記第１の識別情報と関連付けられて前記記憶モジュールに記憶されている前記第２の識別情報に対応する第１の情報を表示させる第１の制御情報を前記撮像装置に送信し、かつ、前記撮像装置から画像データを受信し、
前記画像受信装置が第２の表示インタフェースを有する場合、または前記画像受信装置に前記第２の表示インタフェースが電気的に接続されている場合、前記撮像装置との通信接続が確立された後、前記第２の表示インタフェースに対して、前記情報取得部によって取得された前記第１の識別情報と関連付けられて前記記憶モジュールに記憶されている前記第２の識別情報に対応する第２の情報を表示させる第２の制御情報を前記第２の表示インタフェースに出力する情報出力部と、
前記第２の識別情報に基づいて前記第１の制御情報および前記第２の制御情報を生成する情報生成部と、
をさらに有し、
前記第２の識別情報は、前記第１の識別情報毎に異なる情報である
画像受信装置。
【請求項２】
前記第２の情報と、前記画像データに基づく画像とを表示する前記第２の表示インタフェースを有する、または、
前記画像データに基づく画像を表示する第３の表示インタフェースを有し、前記画像受信装置に前記第２の表示インタフェースが電気的に接続されている、または、
前記第２の表示インタフェースと、前記画像データに基づく画像を表示する第３の表示インタフェースとを有する
請求項１に記載の画像受信装置。
【請求項３】
前記第２の通信モジュールは、前記撮像装置との通信接続が確立された後、前記撮像装置との通信接続が終了する前に、前記第１の制御情報を前記撮像装置に送信し、
前記情報出力部は、前記撮像装置との通信接続が確立された後、前記撮像装置との通信接続が終了する前に、前記第２の制御情報を前記第２の表示インタフェースに出力する請求項１に記載の画像受信装置。
【請求項４】
前記記憶モジュールは、前記撮像装置と、前記撮像装置に電気的に接続されるレンズモジュールとの組合せを識別する前記第１の識別情報と、前記第２の識別情報とを関連付けて記憶する請求項１に記載の画像受信装置。
【請求項５】
前記撮像装置は、複数の動作モードを備え、
前記記憶モジュールは、前記撮像装置の動作モード毎に、前記第２の識別情報を記憶し、
前記第２の通信モジュールは、前記第１の表示インタフェースに対して、前記第１の情報を、前記撮像装置の動作モードに応じて表示させる前記第１の制御情報を前記撮像装置に送信し、
前記情報出力部は、前記第２の表示インタフェースに対して、前記第２の情報を、前記撮像装置の動作モードに応じて表示させる前記第２の制御情報を前記第２の表示インタフェースに出力する
請求項１に記載の画像受信装置。
【請求項６】
前記第１の識別情報と関連付けられて前記記憶モジュールに記憶されている前記第２の識別情報と異なる第２の識別情報と、前記情報取得部によって取得された前記第１の識別情報とを関連付けて前記記憶モジュールに記憶させる設定部をさらに有する請求項１に記載の画像受信装置。
【請求項７】
前記情報出力部はさらに、前記第２の表示インタフェースに対して、前記第１の識別情報と関連付けられて前記記憶モジュールに記憶されている前記第２の識別情報と異なる複数の第２の識別情報を含む設定画面を表示させるための設定画面情報を前記第２の表示インタフェースに出力し、
前記設定部は、前記第２の表示インタフェースが前記設定画面を表示した後、前記設定画面に表示された前記複数の第２の識別情報のいずれかを選択する選択指示に基づいて前記第２の識別情報を選択し、選択した前記第２の識別情報を、前記情報取得部によって取得された前記第１の識別情報と関連付けて前記記憶モジュールに記憶させる
請求項６に記載の画像受信装置。
【請求項８】
前記記憶モジュールに前記第１の識別情報と前記第２の識別情報とを記憶させる設定部をさらに有し、
前記第２の通信モジュールはさらに、前記第２の識別情報を保持するサーバに、前記第２の識別情報を要求することを示す要求情報を送信し、前記要求情報を受信した前記サーバから前記第２の識別情報を受信し、
前記設定部は、前記第２の通信モジュールによって受信された前記第２の識別情報を、前記情報取得部によって取得された前記第１の識別情報と関連付けて前記記憶モジュールに記憶させる請求項１に記載の画像受信装置。
【請求項９】
前記情報取得部はさらに、位置情報を取得し、
前記第２の通信モジュールは、前記サーバに、前記要求情報と前記位置情報とを送信し、前記要求情報を受信した前記サーバから、前記位置情報に応じた前記第２の識別情報を受信する請求項８に記載の画像受信装置。
【請求項１０】
前記第２の識別情報は、色情報を含み、
前記第２の通信モジュールは、前記第１の表示インタフェースに対して、前記第２の識別情報に含まれる前記色情報に対応する第１の色を表示させる前記第１の制御情報を前記撮像装置に送信し、
前記情報出力部は、前記第２の表示インタフェースに対して、前記第２の識別情報に含まれる前記色情報に対応する第２の色を表示させる前記第２の制御情報を前記第２の表示インタフェースに出力する請求項１に記載の画像受信装置。
【請求項１１】
前記第２の識別情報は、画像情報を含み、
前記第２の通信モジュールは、前記第１の表示インタフェースに対して、前記第２の識別情報に含まれる前記画像情報に対応する第１の画像を表示させる前記第１の制御情報を前記撮像装置に送信し、
前記情報出力部は、前記第２の表示インタフェースに対して、前記第２の識別情報に含まれる前記画像情報に対応する第２の画像を表示させる前記第２の制御情報を前記第２の表示インタフェースに出力する請求項１に記載の画像受信装置。
【請求項１２】
前記第２の識別情報は、所定の情報を表示する表示期間と、前記所定の情報を非表示にする非表示期間との組合せが示すパターンを識別するパターン情報を含み、
前記第２の通信モジュールは、前記撮像装置との通信接続が確立された後、前記第１の表示インタフェースに対して、前記第２の識別情報に含まれる前記パターン情報に対応する第１のパターンを表示させる第１の制御情報を前記撮像装置に送信し、
前記情報出力部は、前記撮像装置との通信接続が確立された後、前記第２の表示インタフェースに対して、前記第２の識別情報に含まれる前記パターン情報に対応する第２のパターンを表示させる前記第２の制御情報を前記第２の表示インタフェースに出力する請求項１に記載の画像受信装置。
【請求項１３】
前記情報出力部は、前記撮像装置との通信接続が確立された後、前記第２の表示インタフェースに対して、前記第１の表示インタフェースが表示する前記第１のパターンにおける第１の表示期間と、前記第２の識別情報に対応する前記第２のパターンにおける第２の表示期間とが同時に現れる、または順番に現れるように前記第２のパターンを表示させる前記第２の制御情報を前記第２の表示インタフェースに出力する請求項１２に記載の画像受信装置。
【請求項１４】
前記第２の識別情報は、前記表示期間を示す第１の時間情報と、前記非表示期間を示す第２の時間情報とを含む請求項１２に記載の画像受信装置。
【請求項１５】
前記第２の通信モジュールは、１つの画像受信装置のみと通信接続を確立可能な前記撮像装置に前記第１の制御情報を送信し、かつ、前記撮像装置から画像データを受信する、１つの前記撮像装置のみと通信接続を確立可能な、請求項１に記載の画像受信装置。
【請求項１６】
撮像装置であって、
撮像を行い、画像データを生成する撮像モジュールと、
第１の表示インタフェースと、
第２の通信モジュールを有すると共に、第２の表示インタフェースを有する、または前記第２の表示インタフェースが電気的に接続されている画像受信装置に、前記撮像装置、または前記撮像装置に電気的に接続されるレンズモジュールを識別する第１の識別情報を送信する第１の通信モジュールと、
を有し、
前記第１の通信モジュールは、前記画像受信装置との通信接続が確立された後、前記第１の表示インタフェースに対して、前記撮像装置と前記画像受信装置とで通信接続が確立されていることを視覚的に識別する第２の識別情報に対応する第１の情報を表示させる第１の制御情報を前記画像受信装置から受信し、かつ、前記画像受信装置に前記画像データを送信し、
前記第１の表示インタフェースは、前記画像受信装置との通信接続が確立された後、前記第１の制御情報に基づいて、前記第１の情報を表示し、
前記第２の識別情報は、前記第１の識別情報毎に異なる情報である
撮像装置。
【請求項１７】
前記第１の通信モジュールはさらに、他の撮像装置から、前記他の撮像装置、または前記他の撮像装置に電気的に接続されるレンズモジュールを識別する前記第１の識別情報を受信し、受信した前記第１の識別情報を前記画像受信装置に送信する請求項１６に記載の撮像装置。
【請求項１８】
複数の画像受信装置に対して、異なる前記第２の識別情報を割り当てる情報割り当て部をさらに有し、
前記第１の通信モジュールはさらに、前記情報割り当て部によって割り当てられた前記第２の識別情報を前記複数の画像受信装置に送信する請求項１６に記載の撮像装置。
【請求項１９】
外部機器と電気的に接続する接続端子をさらに有する請求項１６に記載の撮像装置。
【請求項２０】
前記接続端子は、前記撮像装置において、前記撮像モジュールの撮像方向と逆方向に向く面に配置されている請求項１９に記載の撮像装置。
【請求項２１】
前記第１の表示インタフェースは、前記撮像装置において、前記接続端子の接続面が向く方向と同一方向に向く面に配置されている請求項１９に記載の撮像装置。
【請求項２２】
撮像装置と、画像受信装置とを有し、
前記撮像装置は、
撮像を行い、画像データを生成する撮像モジュールと、
第１の表示インタフェースと、
前記撮像装置、または前記撮像装置に電気的に接続されるレンズモジュールを識別する第１の識別情報を前記画像受信装置に送信する第１の通信モジュールと、
を有し、
前記第１の通信モジュールは、前記画像受信装置との通信接続が確立された後、前記第１の表示インタフェースに対して、前記撮像装置と前記画像受信装置とで通信接続が確立されていることを視覚的に識別する第２の識別情報に対応する第１の情報を表示させる第１の制御情報を前記画像受信装置から受信し、かつ、前記画像受信装置に前記画像データを送信し、
前記第１の表示インタフェースは、前記画像受信装置との通信接続が確立された後、前記第１の制御情報に基づいて、前記第１の情報を表示し、
前記画像受信装置は、
前記撮像装置、または前記撮像装置に電気的に接続されるレンズモジュールを識別する第１の識別情報と、前記第２の識別情報とを関連付けて記憶する記憶モジュールと、
前記撮像装置から送信された前記第１の識別情報を受信する第２の通信モジュールと、
前記第２の通信モジュールによって受信された前記第１の識別情報を取得する情報取得部と、
を有し、
前記第２の通信モジュールは、前記撮像装置との通信接続が確立された後、前記第１の表示インタフェースに対して、前記情報取得部によって取得された前記第１の識別情報と関連付けられて前記記憶モジュールに記憶されている前記第２の識別情報に対応する前記第１の情報を表示させる前記第１の制御情報を前記撮像装置に送信し、かつ、前記撮像装置から前記画像データを受信し、
前記画像受信装置は、
前記画像受信装置が第２の表示インタフェースを有する場合、または前記画像受信装置に前記第２の表示インタフェースが電気的に接続されている場合、前記撮像装置との通信接続が確立された後、前記第２の表示インタフェースに対して、前記情報取得部によって取得された前記第１の識別情報と関連付けられて前記記憶モジュールに記憶されている前記第２の識別情報に対応する第２の情報を表示させる第２の制御情報を前記第２の表示インタフェースに出力する情報出力部と、
前記第２の識別情報に基づいて前記第１の制御情報および前記第２の制御情報を生成する情報生成部と、
をさらに有し、
前記第２の識別情報は、前記第１の識別情報毎に異なる情報である
撮像システム。
【請求項２３】
撮像モジュールと第１の表示インタフェースと第１の通信モジュールとを有する撮像装置、または前記撮像装置に電気的に接続されるレンズモジュールを識別する第１の識別情報を前記撮像装置から受信することにより前記第１の識別情報を取得するステップと、
前記撮像装置との通信接続が確立された後、前記第１の表示インタフェースに対して、取得された前記第１の識別情報と関連付けられて記憶モジュールに記憶されている、前記撮像装置と画像受信装置とで通信接続が確立されていることを視覚的に識別する第２の識別情報に対応する第１の情報を表示させる第１の制御情報を前記撮像装置に送信するステップと、
前記画像受信装置が第２の表示インタフェースを有する場合、または前記画像受信装置に前記第２の表示インタフェースが電気的に接続されている場合、前記撮像装置との通信接続が確立された後、前記第２の表示インタフェースに対して、取得された前記第１の識別情報と関連付けられて前記記憶モジュールに記憶されている前記第２の識別情報に対応する第２の情報を表示させる第２の制御情報を前記第２の表示インタフェースに出力するステップと、
前記第２の識別情報に基づいて前記第１の制御情報および前記第２の制御情報を生成するステップと、
前記撮像装置から画像データを受信するステップと、
を有し、
前記第２の識別情報は、前記第１の識別情報毎に異なる情報である
画像受信方法。
【請求項２４】
撮像モジュールと第１の表示インタフェースと第１の通信モジュールとを有する撮像装置、または前記撮像装置に電気的に接続されるレンズモジュールを識別する第１の識別情報を前記撮像装置から受信することにより前記第１の識別情報を取得するステップと、
前記撮像装置との通信接続が確立された後、前記第１の表示インタフェースに対して、取得された前記第１の識別情報と関連付けられて記憶モジュールに記憶されている、前記撮像装置と画像受信装置とで通信接続が確立されていることを視覚的に識別する第２の識別情報に対応する第１の情報を表示させる第１の制御情報を前記撮像装置に送信するステップと、
前記画像受信装置が第２の表示インタフェースを有する場合、または前記画像受信装置に前記第２の表示インタフェースが電気的に接続されている場合、前記撮像装置との通信接続が確立された後、前記第２の表示インタフェースに対して、取得された前記第１の識別情報と関連付けられて前記記憶モジュールに記憶されている前記第２の識別情報に対応する第２の情報を表示させる第２の制御情報を前記第２の表示インタフェースに出力するステップと、
前記第２の識別情報に基づいて前記第１の制御情報および前記第２の制御情報を生成するステップと、
前記撮像装置から画像データを受信するステップと、
をコンピュータに実行させるためのプログラムであって、
前記第２の識別情報は、前記第１の識別情報毎に異なる情報である
プログラム。
【手続補正２】
【補正対象書類名】明細書
【補正対象項目名】００１０
【補正方法】変更
【補正の内容】
【００１０】
本発明は、画像受信装置であって、画像受信装置であって、撮像モジュールと第１の表示インタフェースと第１の通信モジュールとを有する撮像装置、または前記撮像装置に電気的に接続されるレンズモジュールを識別する第１の識別情報と、前記撮像装置と前記画像受信装置とで通信接続が確立されていることを視覚的に識別する第２の識別情報とを関連付けて記憶する記憶モジュールと、前記撮像装置から送信された前記第１の識別情報を受信する第２の通信モジュールと、前記第２の通信モジュールによって受信された前記第１の識別情報を取得する情報取得部と、を有し、前記第２の通信モジュールは、前記撮像装置との通信接続が確立された後、前記第１の表示インタフェースに対して、前記情報取得部によって取得された前記第１の識別情報と関連付けられて前記記憶モジュールに記憶されている前記第２の識別情報に対応する第１の情報を表示させる第１の制御情報を前記撮像装置に送信し、かつ、前記撮像装置から画像データを受信し、前記画像受信装置が第２の表示インタフェースを有する場合、または前記画像受信装置に前記第２の表示インタフェースが電気的に接続されている場合、前記撮像装置との通信接続が確立された後、前記第２の表示インタフェースに対して、前記情報取得部によって取得された前記第１の識別情報と関連付けられて前記記憶モジュールに記憶されている前記第２の識別情報に対応する第２の情報を表示させる第２の制御情報を前記第２の表示インタフェースに出力する情報出力部と、前記第２の識別情報に基づいて前記第１の制御情報および前記第２の制御情報を生成する情報生成部と、をさらに有し、前記第２の識別情報は、前記第１の識別情報毎に異なる情報である画像受信装置である。
【手続補正３】
【補正対象書類名】明細書
【補正対象項目名】００１１
【補正方法】変更
【補正の内容】
【００１１】
また、本発明は、撮像装置であって、撮像を行い、画像データを生成する撮像モジュールと、第１の表示インタフェースと、第２の通信モジュールを有すると共に、第２の表示インタフェースを有する、または前記第２の表示インタフェースが電気的に接続されている画像受信装置に、前記撮像装置、または前記撮像装置に電気的に接続されるレンズモジュールを識別する第１の識別情報を送信する第１の通信モジュールと、を有し、前記第１の通信モジュールは、前記画像受信装置との通信接続が確立された後、前記第１の表示インタフェースに対して、前記撮像装置と前記画像受信装置とで通信接続が確立されていることを視覚的に識別する第２の識別情報に対応する第１の情報を表示させる第１の制御情報を前記画像受信装置から受信し、かつ、前記画像受信装置に前記画像データを送信し、前記第１の表示インタフェースは、前記画像受信装置との通信接続が確立された後、前記第１の制御情報に基づいて、前記第１の情報を表示し、前記第２の識別情報は、前記第１の識別情報毎に異なる情報である撮像装置である。
【手続補正４】
【補正対象書類名】明細書
【補正対象項目名】００１２
【補正方法】変更
【補正の内容】
【００１２】
また、本発明は、撮像装置と、画像受信装置とを有し、前記撮像装置は、撮像を行い、画像データを生成する撮像モジュールと、第１の表示インタフェースと、前記撮像装置、または前記撮像装置に電気的に接続されるレンズモジュールを識別する第１の識別情報を前記画像受信装置に送信する第１の通信モジュールと、を有し、前記第１の通信モジュールは、前記画像受信装置との通信接続が確立された後、前記第１の表示インタフェースに対して、前記撮像装置と前記画像受信装置とで通信接続が確立されていることを視覚的に識別する第２の識別情報に対応する第１の情報を表示させる第１の制御情報を前記画像受信装置から受信し、かつ、前記画像受信装置に前記画像データを送信し、前記第１の表示インタフェースは、前記画像受信装置との通信接続が確立された後、前記第１の制御情報に基づいて、前記第１の情報を表示し、前記画像受信装置は、前記撮像装置、または前記撮像装置に電気的に接続されるレンズモジュールを識別する第１の識別情報と、前記第２の識別情報とを関連付けて記憶する記憶モジュールと、前記撮像装置から送信された前記第１の識別情報を受信する第２の通信モジュールと、前記第２の通信モジュールによって受信された前記第１の識別情報を取得する情報取得部と、を有し、前記第２の通信モジュールは、前記撮像装置との通信接続が確立された後、前記第１の表示インタフェースに対して、前記情報取得部によって取得された前記第１の識別情報と関連付けられて前記記憶モジュールに記憶されている前記第２の識別情報に対応する前記第１の情報を表示させる前記第１の制御情報を前記撮像装置に送信し、かつ、前記撮像装置から前記画像データを受信し、前記画像受信装置は、前記画像受信装置が第２の表示インタフェースを有する場合、または前記画像受信装置に前記第２の表示インタフェースが電気的に接続されている場合、前記撮像装置との通信接続が確立された後、前記第２の表示インタフェースに対して、前記情報取得部によって取得された前記第１の識別情報と関連付けられて前記記憶モジュールに記憶されている前記第２の識別情報に対応する第２の情報を表示させる第２の制御情報を前記第２の表示インタフェースに出力する情報出力部と、前記第２の識別情報に基づいて前記第１の制御情報および前記第２の制御情報を生成する情報生成部と、をさらに有し、前記第２の識別情報は、前記第１の識別情報毎に異なる情報である撮像システムである。
【手続補正５】
【補正対象書類名】明細書
【補正対象項目名】００１３
【補正方法】変更
【補正の内容】
【００１３】
また、本発明は、撮像モジュールと第１の表示インタフェースと第１の通信モジュールとを有する撮像装置、または前記撮像装置に電気的に接続されるレンズモジュールを識別する第１の識別情報を前記撮像装置から受信することにより前記第１の識別情報を取得するステップと、前記撮像装置との通信接続が確立された後、前記第１の表示インタフェースに対して、取得された前記第１の識別情報と関連付けられて記憶モジュールに記憶されている、前記撮像装置と画像受信装置とで通信接続が確立されていることを視覚的に識別する第２の識別情報に対応する第１の情報を表示させる第１の制御情報を前記撮像装置に送信するステップと、前記画像受信装置が第２の表示インタフェースを有する場合、または前記画像受信装置に前記第２の表示インタフェースが電気的に接続されている場合、前記撮像装置との通信接続が確立された後、前記第２の表示インタフェースに対して、取得された前記第１の識別情報と関連付けられて前記記憶モジュールに記憶されている前記第２の識別情報に対応する第２の情報を表示させる第２の制御情報を前記第２の表示インタフェースに出力するステップと、前記第２の識別情報に基づいて前記第１の制御情報および前記第２の制御情報を生成するステップと、前記撮像装置から画像データを受信するステップと、を有し、前記第２の識別情報は、前記第１の識別情報毎に異なる情報である画像受信方法である。
【手続補正６】
【補正対象書類名】明細書
【補正対象項目名】００１４
【補正方法】変更
【補正の内容】
【００１４】
また、本発明は、撮像モジュールと第１の表示インタフェースと第１の通信モジュールとを有する撮像装置、または前記撮像装置に電気的に接続されるレンズモジュールを識別する第１の識別情報を前記撮像装置から受信することにより前記第１の識別情報を取得するステップと、前記撮像装置との通信接続が確立された後、前記第１の表示インタフェースに対して、取得された前記第１の識別情報と関連付けられて記憶モジュールに記憶されている、前記撮像装置と画像受信装置とで通信接続が確立されていることを視覚的に識別する第２の識別情報に対応する第１の情報を表示させる第１の制御情報を前記撮像装置に送信するステップと、前記画像受信装置が第２の表示インタフェースを有する場合、または前記画像受信装置に前記第２の表示インタフェースが電気的に接続されている場合、前記撮像装置との通信接続が確立された後、前記第２の表示インタフェースに対して、取得された前記第１の識別情報と関連付けられて前記記憶モジュールに記憶されている前記第２の識別情報に対応する第２の情報を表示させる第２の制御情報を前記第２の表示インタフェースに出力するステップと、前記第２の識別情報に基づいて前記第１の制御情報および前記第２の制御情報を生成するステップと、前記撮像装置から画像データを受信するステップと、をコンピュータに実行させるためのプログラムであって、前記第２の識別情報は、前記第１の識別情報毎に異なる情報であるプログラムである。